(57)【要約】      （修正有）【課題】遊技者の興趣を向上させる遊技機を提供する。【解決手段】遊技機は、主制御基板５０と主基板ケースとを備えている。主基板ケースは、主制御基板５０を内包する。主基板ケースは、光透過性を有する。主制御基板５０には、遊技の制御に使用される記憶内容を格納するメインＲＯＭ５０２が装着されている。また、主制御基板５０には、メインＲＯＭ５０２とは異なる複数の電子部品が設けられている。主基板ケースには、シール部が貼り付けられている。シール部には、印刷部が印刷されている。シール部は、複数の電子部品の少なくとも一部を跨いで配置されている。【選択図】図１５
2020044057.tif 000002
【特許請求の範囲】
【請求項１】
制御基板と、
前記制御基板を内包する、光透過性を有するケース部と、
前記制御基板に装着され遊技の制御に使用される記憶内容を格納する記憶手段と、
前記ケース部に貼り付けられ、光透過性を有する素材で形成されたシール部と、
前記シール部に印刷された印刷部と、
前記制御基板に実装され、前記記憶手段とは異なる複数の電子部品と、
を備えたことを特徴とする遊技機。
【発明の詳細な説明】
【技術分野】
【０００１】
本発明は、制御基板を収納する基板ケースを有する遊技機に関する。
【背景技術】
【０００２】
従来、遊技機の制御基板を収納する基板ケースは、ケース部材を２つ組み合わせて構成されている。制御基板は、これらケース部材の制御基板収納部を組み合わせて形成される収納空間内に収納される（例えば、特許文献１参照）。
【先行技術文献】
【特許文献】
【０００３】
【特許文献１】特開２０１０−１６７１２４号公報
【発明の概要】
【発明が解決しようとする課題】
【０００４】
しかしながら、従来の遊技機では、例えば、制御基板又は基板ケース等に対する不正行為が行われる可能性が残っており、遊技者の興趣が低下する可能性があった。
本発明は、上記の問題点を鑑みてなされたものであり、遊技者の興趣を向上させる遊技機を提供することを目的とする。
【課題を解決するための手段】
【０００５】
本発明は、上記の課題を解決するためになされたものであり、制御基板と、前記制御基板を内包する、光透過性を有するケース部と、前記制御基板に装着され遊技の制御に使用される記憶内容を格納する記憶手段と、前記ケース部に貼り付けられ、光透過性を有する素材で形成されたシール部と、前記シール部に印刷された印刷部と、前記制御基板に実装され、前記記憶手段とは異なる複数の電子部品とを備えた遊技機を特徴とする。
【発明の効果】
【０００６】
上記のように構成したので、本発明によれば、遊技者の興趣を向上させることができる。
【図面の簡単な説明】
【０００７】
【図１】本実施形態に係る遊技機の一例を示した正面図である。
【図２】本実施形態に係る遊技機の裏面側の一例を示した斜視図である。
【図３】本実施形態に係る遊技機に備えられている遊技制御装置の構成を示したブロック図である。
【図４】ベース枠体に各ユニットを組み付けた状態を示す背面図である。
【図５】図４の一部分解斜視図である。
【図６】本実施形態の一例に係る主基板保護ケースを説明する図である。
【図７】台座を含む主基板保護ケースの分解斜視図である。
【図８】主基板保護ケースを台座に取り付ける際の態様を示す側面図である。
【図９】本実施形態の他の例に係る主基板保護ケースを説明する図である。
【図１０】図９の主基板保護ケースの背面斜視図である。
【図１１】図６の主基板保護ケースを台座から取り外した状態を説明する図である。
【図１２】主基板ケースに設ける位置表示部の変形例を示す図である。
【図１３】主基板ケースに設ける位置表示部の変形例を示す図である。
【図１４】主基板ケースに設ける位置表示部の変形例を示す図である。
【図１５】識別表示を主基板ケースに形成する変形例を示す図である。
【図１６】識別表示を主基板ケースに形成する変形例を示す図である。
【図１７】主基板ケースの変形例を示す図である。
【図１８】シール部及びメインＲＯＭを、後斜め上方から見た図である。
【図１９】主制御基板の構造を説明するための図である。
【図２０】主制御基板に用いられるプリント基板の構成を示した図である。
【図２１】図１９、図２０に示す主制御基板を収容する主基板ケースを示す図である。
【図２２】図２１の主基板ケースの台座を含む主基板ケースの分解斜視図である。
【図２３】封止基礎部に対して切断部材、開封禁止シール、キャップを組み付ける手順を上ケース片の突出片を中心として示す模式図である。
【図２４】封止基礎部３１０に対して切断部材、開封禁止シール、キャップを組み付ける直前の状態を示す分解斜視図である。
【図２５】封止基礎部に開封禁止シールを接着した状態を示す斜視図である。
【図２６】開封禁止シールに対してキャップを装着した状態を示す斜視図である。
【図２７】キャップを離脱させて開封禁止シールを破断した状態を示す斜視図である。
【図２８】図開封禁止シールの一例の表面図、及び一部拡大図である。
【図２９】本実施形態における払出制御基の部品レイアウトを示す図である。
【図３０】払出制御基板保護ケースの構成について説明する図である。
【図３１】払出制御基板ケースの分解斜視図である。
【図３２】払出制御基板ケースの分解斜視図である。
【図３３】画像制御基板の構造を説明するための図である。
【図３４】画像制御基板に用いられるプリント基板の構成を示した図である。
【図３５】画像制御基板に用いられるプリント配線基板の一部を拡大して示した図である。
【図３６】演出制御基板保護ケースの構成について説明する正面図である。
【図３７】演出制御基板ケースの分解斜視図である。
【図３８】演出制御基板ケースの分解斜視図である。
【発明を実施するための形態】
【０００８】
以下、本発明を図面に示した実施の形態により詳細に説明する。
＜遊技機の基本構成＞
図１は、本実施形態に係る遊技機の一例を示した正面図、図２は、本実施形態に係る遊技機の裏面側の一例を示した斜視図、図３は、本実施形態に係る遊技機に備えられている遊技制御装置の構成を示したブロック図である。
【０００９】
図１に示す遊技機１には、遊技ホールの島構造体に取付けられる外枠２に内枠（開閉枠）３が開閉可能に装着され、この内枠３にガラス枠４が開閉可能に装着されている。
ガラス枠４には窓４ａが形成され、その窓４ａに透明板（ガラス板）４ｂが装着されている。内枠３には遊技球が打出される盤面を有する遊技盤１０が装着され、この遊技盤１０の盤面とその前側の透明板との間に遊技球が転動、流下可能な遊技領域１０ａが形成されている。透明板４ｂは、例えばガラス板であり、ガラス枠４に対して着脱可能に固定されている。
【００１０】
ガラス枠４は、左右方向の一端側（例えば遊技機に正対して左側）においてヒンジ機構部５を介して外枠２に連結されており、ヒンジ機構部５を支点として左右方向の他端側（例えば遊技機に正対して右側）を外枠２から開放させる方向に回動可能とされている。ガラス枠４は、透明板とともに遊技盤１０を覆い、ヒンジ機構部５を支点として扉のように回動することによって、遊技盤１０を含む外枠２の内側部分を開放することができる。ガラス枠４の他端側には、ガラス枠４の他端側を外枠２に固定するロック機構が設けられている。ロック機構による固定は、専用の鍵によって解除することが可能とされている。また、ガラス枠４には、ガラス枠４が外枠２から開放されているか否かを検出する扉開放スイッチが設けられている。
【００１１】
ガラス枠４の下部（窓４ａの下側部分）には、遊技球を貯留する貯留皿６（上皿６ａと下皿６ｂ）を有する皿ユニット７が設けられ、その皿ユニット７に、遊技者が押下操作可能な演出ボタン８（図１）と、遊技者が種々の選択操作を実行可能な十字キー４０と、下皿６ｂに貯留された遊技球を遊技機外部へ排出する排出ボタン９とが装備されている。
演出ボタン８は、例えば、後述する画像表示装置３１に当該演出ボタン８を操作するようなメッセージが表示されたときのみ有効となる。演出ボタン８には、演出ボタン検出スイッチ８ａ（図３参照）が設けられており、この演出ボタン検出スイッチ８ａが遊技者の操作を検出すると、この操作に応じてさらなる演出が実行される。
また、十字キー４０には、十字キー検出スイッチ（上キー検出スイッチ、下キー検出スイッチ、左キー検出スイッチ、右キー検出スイッチ）が設けられている。
【００１２】
ガラス枠４の右下側には、操作ハンドル１１が設けられている。遊技者が操作ハンドル１１に触れると、操作ハンドル１１内にあるタッチセンサ１１ａ（図３参照）が、操作ハンドル１１に遊技者が触れたことを検知し、発射制御基板７５にタッチ信号を送信する。発射制御基板７５は、タッチセンサ１１ａからタッチ信号を受信すると、発射用ソレノイド１２ａの通電を許可する。そして、操作ハンドル１１の回転角度を変化させると、操作ハンドル１１に直結しているギアが回転し、ギアに連結した発射ボリューム１１ｂのつまみが回転する。この発射ボリューム１１ｂの検出角度に応じた電圧が遊技球発射機構に設けられた発射用ソレノイド１２ａに印加される。そして、発射用ソレノイド１２ａに電圧が印加されると、発射用ソレノイド１２ａが印加電圧に応じて作動するとともに、操作ハンドル１１の回動角度に応じた強さで遊技球が遊技盤１０の遊技領域１０ａへ発射される。
【００１３】
遊技盤１０における遊技領域１０ａの周囲には、外レールＲ１及び内レールＲ２が設けられている。これら外レールＲ１及び内レールＲ２は、操作ハンドル１１を操作したときに遊技球発射機構から発射された遊技球を遊技領域１０ａの上部に案内する。遊技領域１０ａの上部に案内された遊技球は、遊技領域１０ａ内を落下する。このとき、遊技領域１０ａに設けられた複数の釘や風車によって、遊技球は予測不能に落下することとなる。
遊技盤１０の略中央には、センター部材１２が配置されている。センター部材１２には、液晶表示装置等からなる画像表示装置３１と、「刀」を模した演出用役物装置３２が設けられている。
【００１４】
また、センター部材１２の中央下側の遊技領域１０ａには、遊技球が入球可能な第１始動口１３が設けられている。そして、この第１始動口１３の下方に第２始動口１４が設けられている。第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
なお、本実施形態では、第２始動口１４が第１の態様に制御されているときは、第２始動口１４に遊技球が入球することがないようにしている。しかしながら、第２の態様に制御されているときよりも第１の態様に制御されているときの方が遊技球の入球機会が少なければ、第１の態様に制御されているときに第２始動口１４に遊技球が入球しても構わない。つまり、第１の態様には、第２始動口１４への遊技球の入球が不可能または困難な状態が含まれる。
【００１５】
第１始動口１３、及び第２始動口１４には、遊技球の入球を検出する第１始動口検出スイッチ１３ａ（図３参照）及び第２始動口検出スイッチ１４ａがそれぞれ設けられており、これら検出スイッチが遊技球の入球を検出すると、後述する大当たり遊技を実行する権利獲得の抽選（以下、「大当たりの抽選」という）が行われる。また、第１始動口検出スイッチ１３ａ及び第２始動口検出スイッチ１４ａが遊技球の入球を検出した場合にも、所定の賞球（例えば３個の遊技球）が払い出される。
なお、本実施形態の遊技機１では、第１始動口１３及び第２始動口１４に遊技球が入球した場合、例えば３個の遊技球の払い出しを行うようにしているが、遊技球の入球に伴う払い出しは必ずしも行う必要は無い。また、例えば第１始動口１３の払い出し個数を３個、第２始動口１４の払い出し個数を１個といったように始動口ごとに払い出し個数を異なるように構成しても良い。
【００１６】
センター部材１２の両側の遊技領域１０ａには、遊技球が通過可能なゲート１５が設けられている。ゲート１５には、遊技球の通過を検出するゲート検出スイッチ１５ａ（図３参照）が設けられており、このゲート検出スイッチ１５ａが遊技球の通過を検出すると、後述する普通図柄の抽選が行われる。
さらにセンター部材１２の右側の遊技領域１０ａには、遊技球が入球可能な第１大入賞口１６及び第２大入賞口１７が設けられている。このため、操作ハンドル１１を大きく回動させ、強い力で打ち出された遊技球でないと、第１大入賞口１６及び第２大入賞口１７には遊技球が入賞しないように構成されている。
【００１７】
第１大入賞口１６は、通常は開閉扉１６ｂによって閉状態に維持されており、遊技球の入球を不可能としている。これに対して、後述する大当たり遊技が開始されると、開閉扉１６ｂが開放されるとともに、この開閉扉１６ｂが遊技球を第１大入賞口１６内に導く受け皿として機能し、遊技球が第１大入賞口１６に入球可能となる。第１大入賞口１６には第１大入賞口検出スイッチ１６ａが設けられており、この第１大入賞口検出スイッチ１６ａが遊技球の入球を検出すると、予め設定された賞球（例えば１５個の遊技球）が払い出される。
【００１８】
第２大入賞口１７は、通常は可動片１７ｂによって閉状態に維持されており、遊技球の入球を不可能としている。これに対して、後述する大当たり遊技が開始されると、可動片１７ｂが作動して開放されるとともに、この可動片１７ｂが遊技球を第２大入賞口１７内に導く誘導路として機能し、遊技球が第２大入賞口１７に入球可能となる。第２大入賞口１７には第２大入賞口検出スイッチ１７ａが設けられており、この第２大入賞口検出スイッチ１７ａが遊技球の入球を検出すると、予め設定された賞球（例えば１５個の遊技球）が払い出される。
さらに、遊技領域１０ａには複数の一般入賞口１８が設けられている。これら各一般入賞口１８に遊技球が入賞すると、所定の賞球（例えば１０個の遊技球）が払い出される。
【００１９】
遊技領域１０ａの最下部には、一般入賞口１８、第１始動口１３、第２始動口１４、第１大入賞口１６及び第２大入賞口１７のいずれにも入球しなかった遊技球を排出するためのアウト口１９が設けられている。
画像表示装置３１は、遊技が行われていない待機中に画像を表示したり、遊技の進行に応じた画像を表示したりする。なかでも、第１始動口１３または第２始動口１４に遊技球が入球したときには、抽選結果を遊技者に報知する演出図柄３５が変動表示される。
演出図柄３５というのは、例えば第１図柄（左図柄）、第２図柄（右図柄）、第３図柄（中央図柄）という３つの図柄（数字）をそれぞれスクロール表示するとともに、所定時間経過後に当該スクロールを停止させて、特定の図柄（数字）を配列表示するものである。
【００２０】
これにより、図柄のスクロール中には、あたかも現在抽選が行われているような印象を遊技者に与えるとともに、スクロールの停止時に表示される図柄によって、抽選結果が遊技者に報知される。この演出図柄３５の変動表示中に、さまざまな画像やキャラクター等を表示することによって、大当たりに当選するかもしれないという高い期待感を遊技者に与えるようにしている。
また、図示しないが、画像表示装置３１には、上記演出図柄３５とは別に第４図柄が表示されている。第４図柄は、大当たり抽選処理による抽選結果の報知に用いる演出図柄３５の変動状態を示している図柄である。
なお、第４図柄は、必ずしも画像表示装置３１に表示する必要は無く、別途、第４図柄表示ランプを設けて表示するようにしても良い。
【００２１】
ガラス枠４の上部には、左右１対の演出用照明装置３３が装備されている。演出用照明装置３３は、それぞれ複数のライトを備えており、各ライトの光の照射方向や発光色を変更しながら、さまざまな演出を行うようにしている。
また、演出用照明装置３３は、それぞれ複数のライトを備えており、各ライトの光の照射方向や発光色を変更しながら、さまざまな演出を行うようにしている。
さらに、図１には示していないが、遊技機１にはスピーカからなる音声出力装置３４（図３参照）が設けられており、上記の各演出装置に加えて、ＢＧＭ（バックグランドミュージック）、ＳＥ（サウンドエフェクト）等を出力し、サウンドによる演出も行うようにしている。
【００２２】
遊技領域１０ａの左側下方には、後述する第１特別図柄表示装置２０、第２特別図柄表示装置２１、普通図柄表示装置２２、第１特別図柄保留表示器２３、第２特別図柄保留表示器２４、普通図柄保留表示器２５、ラウンド回数表示器２６等の表示領域が設けられている。
第１特別図柄表示装置２０は、第１始動口１３に遊技球が入球したことを契機として行われた大当たりの抽選結果を報知するものであり、複数のＬＥＤで構成されている。つまり、大当たりの抽選結果に対応する特別図柄が複数設けられており、この第１特別図柄表示装置２０に大当たりの抽選結果に対応する特別図柄（点灯態様）を表示することによって、抽選結果を遊技者に報知するようにしている。このようにして表示される特別図柄はすぐに表示されるわけではなく、所定時間変動表示（点滅）された後に停止表示されるようにしている。
より詳細には、第１始動口１３に遊技球が入球すると、大当たりの抽選が行われることとなるが、この大当たりの抽選結果は即座に遊技者に報知されるわけではなく、所定時間を経過したところで遊技者に報知される。そして、所定時間が経過したところで、大当たりの抽選結果に対応する特別図柄が停止表示して遊技者に抽選結果が報知されるようにしている。
【００２３】
第２特別図柄表示装置２１は、第２始動口１４に遊技球が入球したことを契機として行われた大当たりの抽選結果を報知するためのもので、その表示態様は、上記第１特別図柄表示装置２０における特別図柄の表示態様と同一である。
普通図柄表示装置２２は、ゲート１５を遊技球が通過したことを契機として行われる普通図柄の抽選結果を報知するためのものである。詳しくは後述するが、この普通図柄の抽選によって所定の当たりに当選すると普通図柄表示装置２２が点灯し、その後、第２始動口１４が所定時間、第２の態様に制御される。なお、この普通図柄についても、ゲート１５を遊技球が通過して即座に抽選結果が報知されるわけではなく、所定時間が経過するまで普通図柄表示装置２２を点滅させる等、普通図柄が変動表示するようにしている。
さらに、特別図柄の変動表示中や後述する特別遊技中等、第１始動口１３または第２始動口１４に遊技球が入球して即座に大当たりの抽選が行えない場合には、一定の条件のもとで大当たりの抽選の権利が留保される。より詳細には、第１始動口１３に遊技球が入球して留保される大当たりの抽選の権利は第１保留として留保され、第２始動口１４に遊技球が入球して留保される大当たりの抽選の権利は第２保留として留保される。
【００２４】
これら両保留は、それぞれ上限留保個数を４個に設定し、その留保個数は、それぞれ第１特別図柄保留表示器２３と第２特別図柄保留表示器２４とに表示される。
そして、普通図柄の上限留保個数も４個に設定されており、その留保個数が、上記第１特別図柄保留表示器２３及び第２特別図柄保留表示器２４と同様の態様によって、普通図柄保留表示器２５において表示される。
ラウンド回数表示器２６は、後述する特別遊技中に行われるラウンド遊技のラウンド回数を報知するためのものである。
【００２５】
図３に示すように、遊技機１の裏面には、主制御基板５０、演出制御基板５５、払出制御基板６０、ランプ制御基板６５、画像制御基板７０、発射制御基板７５、電源基板８０、遊技情報出力端子板２７などが設けられている。また、電源基板８０に遊技機に電力を給電するための電源プラグ８１や、図示しない電源スイッチが設けられている。
画像制御基板７０には、音声出力装置３４から出力される音声の音量を切り替えるための音量切替スイッチ３６が設けられている。
【００２６】
次に、演出ボタン８は、皿ユニット７の中央部分に組込まれている。
演出ボタン８は、図示しない通常操作位置と、通常操作位置よりも下方へ退入した押下位置と、通常操作位置よりも上方へ突出した突出操作位置とに亙って進退可能に構成されている。また、演出ボタン８は通常操作位置及び突出操作位置を含む任意の位置から押下位置へ押下操作可能に構成されている。
なお、本明細書では演出ボタン８の詳細な構造については、例えば特開２０１３−１１６１６８公報等に開示されているので説明を省略する。
【００２７】
＜遊技盤背面の構成＞
次に、遊技盤の背面側の構成について説明する。
図４はベース枠体に各ユニットを組み付けた状態を示す背面図であり、図５は図４の一部分解斜視図である。
図２、図４、図５等に示すように、遊技盤１０の背面（後面）には、前後方向に貫通する開口部を有したベース枠体（液晶ベース枠）１３０が組み付けられて、ベース枠体の背面側（後面側）にはその開口部を塞ぐように画像表示ユニット（画像表示装置３１、及び画像表示カバー１６５）１６０が組み付けられる。画像表示カバー（液晶カバー）１６５の背面（後面）には、ランプ中継基板１６６が組み付けられ、ランプ中継基板１６６よりも下側の画像表示カバー１６５の背面下部には主制御基板を収容した基板保護ケース（基板ケース）２００が取り付けられる。
ベース枠体（液晶ベース）１３０は前後方向へ貫通する開口部を有した略四角形の環状体であり、その環状の前面１３１は遊技盤１０の背面に添設されて固定される。ベース枠体の背面には各種回路基板、部品類を配置するためのスペースがある。
ベース枠体１３０の背面に固定された画像表示ユニット（液晶ユニット）１６０の背面側には、演出制御基板５５が配置されている。画像表示ユニット１６０は、演出制御基板の前方に設けた画像表示ユニット収納用のギャップ（収納空間）内に対して、ベース枠体の側方（左右方向）、上下方向、或いは斜め方向からスライド自在に装着できるように構成されている。
ベース枠体の背面に配置された各種回路基板は、蓋部材１７０によって覆われる（図４、図５）。
【００２８】
＜主基板保護ケース＞
次に、本実施形態に係る主基板保護ケース２００の構成について説明する。
なお、本実施形態において、主基板保護ケース２００、払出基板保護ケース４００、演出基板保護ケース７００に共通して、基板ケースを基準に遊技盤２側を前方向、遊技盤２とは反対側の方向を後ろ側として説明する。
従って、図中の左右方向は、各基板ケースを、遊技盤２とは反対側から見たときの左右方向である。
【００２９】
図６は、本実施形態の一例に係る主基板保護ケースを説明する図であり、（ａ）は斜視図、（ｂ）側面図、（ｃ）は正面図である。図７は、台座を含む主基板保護ケースの分解斜視図である。図８は、主基板保護ケースを台座に取り付ける際の態様を示す側面図である。
図９は、図６の主基板保護ケースを台座から取り外した状態を説明する図であり、（ａ）は斜視図、（ｂ）側面図、（ｃ）は正面図である。図１０は、図９の主基板保護ケースの背面斜視図である。
本実施形態の主基板保護ケース（以下、単に主基板ケースと記載する）２００は、ＲＯＭを始めとした電子部品を搭載した主制御基板５０を内部に収容した状態でパチンコ遊技機等の遊技機の背面に台座２８０を介して組み付けられる（図６〜図８参照）。
また、主基板ケース２００は、ＲＯＭを搭載した主制御基板（プリント基板）５０を間に挟んだ状態で内部に収容する透明な樹脂製の２つのケース片（下ケース片２１０、上ケース片２２０）と、下ケース片２１０、上ケース片２２０の端縁間に挟まれて保持される開封禁止シール切断用の切断部材（以下、切断部材）２３０と、後述する開封禁止シール２５０を接着した主基板ケース２００の封止基礎部３１０に対して着脱自在に装着されるキャップ２４０と、を備えている。
なお、本実施形態の主制御基板５０は、一面にのみ電子部品を配置した片面実装方式を採用している。
重要な電子部品（特にＲＯＭ）を一面にのみ実装し、実装面を外部から視認可能な面（後面）に向けることで、電子部品の差し替え等の不正行為を発見しやすくすることが出来る。
【００３０】
下ケース片２１０と上ケース片２２０は、基板ケース本体（封止体３００）を構成している。
なお、主基板ケース２００を構成する２つのケース片を、下ケース片、上ケース片と記載しているが、ケース片同士の位置関係は図中に示す上下方向とは異なっている。
便宜上、検査者の視点から見て奥側のケース片を下ケース片、手前側のケース片を上ケース片と記載しているが、図中の方向表記にならえば、上ケース片は後ケース片であり、下ケース片は前ケース片である。
上ケース片２２０の下部には内部の主制御基板５０に設けた内部コネクタと外部コネクタとの接続部を覆う保護カバー２２９が配置されている。
本実施形態では、下ケース片２１０は主制御基板５０を間に挟んで上ケース片２２０に対してカシメ部材により固定される。
【００３１】
主基板ケース２００の端縁に沿った適所には、カシメ部材を用いたカシメ締結部２９０が配置され、カシメ締結部２９０に設けた締結穴２９１（封止部）内にカシメ部材（係止部材）を打ち込む（係止する）ことにより下ケース片２１０、上ケース片２２０は閉止状態でロックされる。締結穴２９１に打ち込まれた（係止された）カシメ部材を除去（破断）することによって下ケース片２１０、上ケース片２２０は開閉、着脱可能な状態となる。
本実施形態の主基板ケース２００のカシメ締結部２９０において、カシメ締結穴は２つ設けられている（カシメ締結穴２９１Ａ、２９１Ｂ）。
それぞれのカシメ締結穴は、下ケース片２１０に設けられた下ケース側締結穴２９２、上ケース片２２０に設けられた上ケース側締結穴２９３が連通することによって構成される。
【００３２】
後述するように、下ケース片２１０と上ケース片２２０とを、引掛溝と引掛片とを用いて係合させた状態で、何れかのカシメ締結穴２９１にカシメ部材を打ち込むことにより、下ケース片２１０と上ケース片２２０とを互いにスライドさせて両者の係合を解除することが出来なくなる。
従って、主基板ケース内部に収容された主制御基板５０にアクセスすることは不可能である。
なお、下ケース片２１０と上ケース片２２０の１回の締結に用いるカシメ締結穴は１つのみである。カシメ部材を取り除いて（破断して）締結を解除した後（主基板ケース２００を開封した後）、再び締結を行う場合には残されたもう一つのカシメ締結穴にカシメ部材を打ち込んで締結を行う。すなわち、本実施形態の主基板ケースは、２回まで開封することが出来る。
本実施形態の主基板ケース２００（例えば、図９など）では、例えば、図中下側のカシメ締結穴２９１Ｂにカシメ部材が打ち込まれた状態である。
【００３３】
台座２８０は、遊技機本体の背面側に設けた遊技機側保持部（本実施形態では、ランプ中継基板１６６）に対して主基板ケース２００を取り付けるための連結手段である。
主制御基板を収容した主基板ケース２００は、下ケース片２１０を、台座２８０を介してパチンコ遊技機等の遊技盤の背面に添設させた状態で組み付けられるため、遊技盤の背面側から上ケース片２２０を通して内部の制御基板面に搭載された電子部品を視認することができる。
また、台座２８０の上部に位置する軸部２８１を中心として主基板ケース２００を上方に回動させることにより、透明な下ケース片２１０の底面から主基板ケース内部を確認することができる。
【００３４】
台座２８０に主基板ケース２００を取り付けた主基板ケース組立体２００Ａについて説明する。図６〜図８に示すように、主基板ケース組立体２００Ａは、台座２８０と、主基板ケース２００と、保護カバー２２９とを備えている。台座２８０は、遊技盤１０（図６参照）の後側に主基板ケース２００を取り付けるために用いられる部品である。
図７に示すように、台座２８０は、左右方向に沿った２辺が上下方向に沿った２辺より長尺な略長方形状に形成されており、下辺の左右両端近傍に一対の軸部２８１を備え、上辺の左右方向中央に板状を備えている。軸部２８１は、軸方向が左右方向に一致するものである。
主基板ケース２００には、各軸部２８１に係合させる一対のフック部２４９が設けられている。一対のフック部２４９は、後述する上ケース片２２０の下辺に設けられている。フック部２４９は、前側に向かって凸なＵ字状に形成されている。
【００３５】
図８に示すように、主基板ケース２００を台座２８０に取り付けるときは、フック部２４９が背面側に向かって凸となる状態に、主基板ケース２００を配置する。するとフック部２４９が軸部２８１に係合可能な状態となるので、主基板ケース２００を台座２８０に近づけて、各フック部２４９を各軸部２８１に係合させる。
そして、フック部２４９が軸部２８１に係合したら、主基板ケース２００を、軸部２８１を中心に左側面視反時計回り（図８中の符号ハの矢印の方向）に回転させ、主基板ケース２００を台座２８０に重ね合わせる。図６に示すように、このとき、台座２８０の上辺に備えられている板状フック２８２が主基板ケース２００の上辺に設けられた窪み３ａに引っ掛かる。そのため、主基板ケース２００は、フック部２４９と軸部２８１との係合と、板状フック２８２と主基板ケース２００との係合とにより、台座２８０に固定される。
【００３６】
図６及び図７に示すように、その後、保護カバー２２９を主基板ケース２００に取り付ける。保護カバー２２９は、フック部２４９を含む主基板ケース２００の下部部分を覆う。このようにして主基板ケース組立体２００Ａは組み立てられるとともに遊技盤１０の後側に添設される。
主制御基板５０及び主基板ケース２００について説明する。図９に示すように、遊技を制御する主制御基板５０は、主基板ケース２００内に収納される。主制御基板５０には、メインＲＯＭ５０２が装着されている。また、主制御基板５０には、メインＲＯＭ５０２とは異なる複数の電子部品５９５が実装されている。複数の電子部品５９５は、ＩＣ、抵抗、コネクタ、コンデンサ、及びコイル等の種々の電子部品を含む。また、図９（ｂ）に示すように、主制御基板５０には、複数のコネクタ７７１、７７２、７７３、７７４、７７５、７７６が実装されている。なお、複数のコネクタ７７１〜７７６は、図９（ｂ）に記載しており、その他の図においては図示を省略している場合がある。
【００３７】
メインＲＯＭ５０２は、遊技の制御に使用される記憶内容を格納している。また、メインＲＯＭ５０２は、遊技の結果に影響を与える記憶内容を格納している。
また、メインＲＯＭ５０２は、図３に示したメインＣＰＵ、メインＲＡＭと統合されている。メインＲＯＭ５０２として示されるものは、メインＣＰＵ、メインＲＯＭ、メインＲＡＭを一体化したワンチップマイコンである。
複数のコネクタ７７１〜７７６は、主制御基板５０の下部において、左から右側に向けて順に並んでいる。複数のコネクタ７７１〜７７６は、主基板ケース２００の上ケース片２２０の下部に設けられた６個の開口部７７９の内側に配置されている。
【００３８】
複数のコネクタ７７１〜７７６のうち、複数のコネクタ７７４、７７５を、検出信号コネクタ７７４、７７５という。検出信号コネクタ７７４、７７５には、遊技球が入賞したことを検出する第１始動口検出スイッチ１３ａ、第２始動口検出スイッチ１４ａ、第１大入賞口検出スイッチ１６ａ、第２大入賞口検出スイッチ１７ａ、一般入賞口検出スイッチ１８ａ、（図３参照）のうちの少なくとも一部からの信号が入力される。本実施形態では、検出信号コネクタ７７４、７７５には、遊技球が入賞したことを検出する第１始動口検出スイッチ１３ａ、第２始動口検出スイッチ１４ａ、第１大入賞口検出スイッチ１６ａ、第２大入賞口検出スイッチ１７ａ、一般入賞口検出スイッチ１８ａ（図３参照）の全ての信号が入力されるとする。検出信号コネクタ７７４、７７５は、他のコネクタ７７１、７７２、７７３、７７６とは異なる色である。本実施形態では、検出信号コネクタ７７４、７７５は、蛍光色であり、その他のコネクタ７７１、７７２、７７３、７７６は、蛍光色とは異なる色である。
【００３９】
メインＲＯＭ５０２は、上下左右に延びる板状の本体部５８０と複数の第１信号ピン５８２とを備えている。第１信号ピン５８２は、メインＲＯＭ５０２と主制御基板５０との間の信号を伝達する信号ピンである。第１信号ピン５８２は、主基板ケース２００を介して視認可能に配置されている。詳細には、第１信号ピン５８２は、メインＲＯＭ５０２の本体部５８０の上方及び下方に延び、主制御基板５０と電気的に接続されている。このため、第１信号ピン５８２は、主基板ケース２００を介して前方から視認可能である。
複数の電子部品５９５の夫々に設けられる信号ピンを、第２信号ピン５８３（図７参照）という。第２信号ピン５８３は、複数の電子部品５９５の夫々と、主制御基板５０との間の信号を伝達する。なお、信号は、デジタル信号に限らず、アナログ信号も含む。主基板ケース２００を介して視認可能に配置されている。詳細には、第２信号ピン５８３は、各電子部品から上方、下方、左方、右方、又は前方に延び、主制御基板５０と電気的に接続されている。このため、第２信号ピン５８３は、主基板ケース２００を介して視認可能である。
図７に示すように、主基板ケース２００は、主制御基板５０及びメインＲＯＭ５０２を視認可能で且つ接触困難に収納する箱形のケースである。
【００４０】
図９乃至図１８を用いて、主基板ケース２００の詳細な構成と、主基板ケース及び内包される主制御基板に付与される表について説明する。
主基板ケース２００は、主制御基板５０に実装された複数のコネクタ７７１〜７７６（図９（ｂ）参照）を視認可能に主制御基板５０を内包する。主基板ケース２００は、例えば、透明なプラスチック等の光透過性を有する部材で形成されている。
上記のように下ケース片２１０は、上ケース片２２０と組み合わされることで、主制御基板５０を内包するための内包部５８１を形成する。上ケース片２２０は、主基板ケース２００において、メインＲＯＭ５０２側である後側に設けられている。下ケース片２１０は、主基板ケース２００において、メインＲＯＭ５０２側とは反対側である前側に設けられている。尚、図９（ｂ）においては、透明な主基板ケース２００に内包された主制御基板５０に設けられた電気部品のうち、メインＲＯＭ５０２のみを図示しており、他の電気部品は図示を省略している（図１１（ａ）等も同様）。
【００４１】
図１０に示すように、下ケース片２１０、上ケース片２２０は、それぞれ、主制御基板５０（図７参照）を収納する制御基板収納部２１１、２２１と、後述する封止基礎部３１０（図１１参照）を構成する封止部２１２、２２２と、を備えている。制御基板収納部２１１、２２１は、それぞれ、略長方形状に形成された板部２１１ａ、２２１ａと、これら板部２１１ａ、２２１ａの周囲縁部から突設され、各板部２１１ａ、２２１ａの一方側の面を囲うフランジ部２１１ｂ、２２１ｂとを有する形状に形成されている。
また、図７に示すように、下ケース片２１０の板部２１１ａの左部には、主制御基板５０側である後方に向かって延びる円筒部５６５が設けられている。円筒部５６５には、前後方向に延びる孔部５６６が形成されている。孔部５６６の内側には、ねじ山が形成されている。主制御基板５０において、円筒部５６５に対向する位置には、孔部５６７が設けられている。
【００４２】
主制御基板５０は、下ケース片２１０に固定される。より詳細には、下ケース片２１０の円筒部５６５の後方に、主制御基板５０の孔部５６７が配置される。ビス７６９（図９参照）の軸部が、主制御基板５０の後側から、孔部５６７を介して、円筒部５６５の孔部５６６に挿入される。円筒部５６５の孔部５６７に形成されたねじ山に、ビス７６９（図９（ｂ）参照）の軸部に設けられたねじ山が、組み合わせられる。これによって、ビス７６９の頭部と円筒部５６５の後面との間に主制御基板５０が挟まれ、主制御基板５０が下ケース片２１０に固定された状態となる。すなわち、主制御基板５０は、下ケース片２１０側にビス止めされる。
【００４３】
図１０に示すように、制御基板収納部２１１のフランジ部２１１ｂのうち、板部２１１ａの長尺な２辺に沿って板部２１１ａから突設されている部分（以下「雄部」という）には、Ｌ字状に形成された引掛片２１１ｃがそれぞれ３つずつ形成されている。
一方、制御基板収納部２２１のフランジ部２２１ｂのうち、板部２２１ａの長尺な２辺に沿って板部２２１ａから突設されている部分は（以下「雌部」という）、二重壁状に形成されており、二重壁を形成する壁と壁との間に、制御基板収納部２１１の雄部を挿入可能な挿入溝部２２１ｃが設けられている。また、各挿入溝部２２１ｃには、引掛片２２１ｄが形成されている。
【００４４】
主制御基板５０がビス７６９によってビス止めされた下ケース片２１０と、上ケース片２２０とが組み合わせられる場合、フランジ部２１１ｂの雄部がフランジ部２２１ｂの雌部に挿入される。そして、制御基板収納部２１１、２２１が、左右方向に沿った図１０中の矢印αの方向に互いにスライドされる。すると、雄部に設けられた引掛片２１１ｃが引掛片２２１ｄに係合するので、下ケース片２１０と上ケース片２２０とは、矢印αとは逆方向に互いに移動しない限り、外れないように組み合わされる。
このように組み合わされると、制御基板収納部２１１、２２１は、内部に外部から遮蔽された箱形の内包部５８１を形成する。内包部５８１には、主制御基板５０（図７参照）が収納された状態となる。このため、主制御基板５０及びメインＲＯＭ５０２等が不正に交換等される可能性を抑制できる。
【００４５】
主制御基板５０は、制御基板収納部２１１、２２１が組み合わされる前に、制御基板収納部２２１の内側に取り付けられる。このとき主制御基板５０上に実装されているＩＣなどが、制御基板収納部２２１の板部２２１ａに対向するように取り付けられる。これは、板部２２１ａも透明なプラスチックで形成されているので、主制御基板５０が主基板ケース２００内に収納されても、主制御基板５０上に実装されたメインＲＯＭ５０２等の電子部品が不正に交換されていないか、板部２２１ａを介して外部から確認できるようにするためである。図４に示すように、本実施形態では、主基板ケース２００を備える主基板ケース組立体２００Ａを遊技盤１０に取り付けると、遊技機１の背面側から上ケース片２２０を通して、主基板ケース２００内の主制御基板５０に実装された電子部品を視認することができる。
【００４６】
図１０に示すように、下ケース片２１０、上ケース片２２０の右端部には、封止部２１２、２２２が設けられている。図１１に示すように、下ケース片２１０、上ケース片２２０には、封止部２１２、２２２の上方に、第１ネジ止片９１、第２ネジ止片９２が設けられている。
制御基板収納部２１１、２２１をスライドさせて組み合わせると、これらを組み合わせた封止体３００の長手方向の端部に封止部２１２、２２２によって封止基礎部３１０が形成される。
図９に示すように、封止基礎部３１０にかぶせて封止体３００にキャップ２４０を取り付けると、封止体３００の長手方向の端部には、第１ネジ止片９１、第２ネジ止片９２に加えて、キャップ２４０が備える第３ネジ止片９３が重なり、ネジ止め用のネジ止部９０を構成する。
【００４７】
図１０に示すように、封止部２１２、２２２は、制御基板収納部２１１、２２１の右端部から右方に突設されている。封止部２１２、２２２は、左右方向に沿った高さが同じ高さであり、上下方向の幅が同じ幅に形成されている。
各封止部２１２、２２２には、左右方向に沿って長尺な溝部２１２ａ、２２２ａが形成されている。封止部２２２には、左右方向に沿って平行な２つの溝部２２２ａが、所定間隔離して形成され、封止部２１２には、左右方向に沿って、１つの溝部２１２ａが形成されている。
図１１に示すように、上記のように下ケース片２１０、上ケース片２２０が組み合わされると、封止部２１２、２２２は、組み合わされた制御基板収納部２１１、２２１の右部に、封止基礎部３１０を形成する。  
封止基礎部３１０においては、封止部２１２、２２２が一定間隔を開けて平行に配置され、封止部２１２、２２２が互いに対向する面の間に挿抜空間３１０ａ（図１１参照）が形成される。
【００４８】
図１０に示すように、開封禁止シール２５０は、主基板ケース２００を封印する手段として用いられるものであり、認証資格を有した組織等によって発行された真正品であることを証明するものである。
開封禁止シール２５０は、切断性を考慮し、紙などの切断し易い材料の一方の面に接着面が設けられたものであり、複数の切目が形成されている。後述するように、開封禁止シール２５０には、例えば、ホログラム及びＱＲコード（登録商標）等が印刷されている。また、開封禁止シール２５０には、「開封禁止」の文字も印刷されている。
切断部材２３０は、基礎部２３０ａと、一対の摘部６１と、切断部６４とを有する形状に形成されている。切断部材２３０の基礎となる基礎部２３０ａは、略長方形状に形成されている。基礎部２３０ａの長尺な２辺のうち、一方には、切断部６４が形成されている。切断部６４は、基礎部２３０ａの先端が刃状に形成された部位である。摘部６１は、基礎部２３０ａの長手方向両端に設けられ、全体に「く」の字に折り曲げられた形状に形成されている。摘部６１の左端部を、遊端部６１ａという。
【００４９】
キャップ２４０は、封止基礎部３１０にかぶせて封止基礎部３１０全体を覆うことができる大きさに形成されており、封止基礎部３１０に対して着脱可能に形成されている。
キャップ２４０は、封止基礎部３１０を覆う椀状に形成されたキャップ本体２４１と、キャップ本体２４１の長手方向の一端側に形成された第３ネジ止片９３とを備えている。キャップ本体２４１の内側面には、キャップ２４０を封止基礎部３１０に取り付けたときに、挿抜空間３１０ａに挿入された切断部材２３０の摘部６１の遊端部６１ａが引っ掛かる位置に、突起８２が設けられている。また、キャップ本体２４１の内側面には、溝部８６が形成されている。
切断部材２３０は、封止基礎部３１０の挿抜空間３１０ａ（図１１参照）に挿入される。その後、開封禁止シール２５０が貼り付けられる。さらに、キャップ２４０を封止基礎部３１０にかぶせると、溝部８６が、挿抜空間３１０ａに挿入された切断部材２３０の一部に嵌る。また、突起８２が切断部材２３０の摘部６１の遊端部６１ａと係合する。
【００５０】
図９に示すように、上述したように、キャップ２４０を封止基礎部３１０にかぶせると、第３ネジ止片９３が、下ケース片２１０の第１ネジ止片９１と、上ケース片２２０の第２ネジ止片９２とが組み合わされたものに重なり、ネジ止め用のネジ止部９０を構成する。ネジ止部９０にカシメ部材９４を打ち込まれると、下ケース片２１０、上ケース片２２０、キャップ２４０が互いに固定される。
主基板ケース２００の封印を解くときは、カシメ部材９４が取り外されるとともに、キャップ２４０が封止基礎部３１０から取り外される。主基板ケース２００の封印が不正に解かれる時も同様である。
切断部材２３０とキャップ２４０とは一体化している。このため、キャップ２４０を封止基礎部３１０から取り外されると、同時に切断部材２３０も封止基礎部３１０から取り外される。すると、切断部６４等により、開封禁止シール２５０には回復不能な傷が付けられる。
【００５１】
識別表示５２０について説明する。図７に示すように、識別表示５２０は、主制御基板５０、メインＲＯＭ５０２、下ケース片２１０、上ケース片２２０、及びキャップ２４０に付されている。
識別表示５２０は、遊技機１に関する情報が含まれる表示である。以下の説明においては、主制御基板５０に設けられた識別表示５２０を、識別表示５２１といい、メインＲＯＭ５０２に設けられた識別表示５２０を、識別表示５２２という。上ケース片２２０に設けられた識別表示５２０を、識別表示５２３といい、下ケース片２１０に設けられた識別表示５２０を、識別表示５２４という。
キャップ２４０に設けられた識別表示５２０を、識別表示５２５という。
【００５２】
図７に示すように、識別表示５２１は、主制御基板５０の背面の上部に、シルク印刷によって表示されている。識別表示５２１は、特定の情報を表示するための情報識別部である。識別表示５２２は、メインＲＯＭ５０２に、刻印によって添付されている。識別表示５２２は、特定の情報を表示するための情報識別部である。
主基板ケース２００に付された識別表示５２３、５２４、５２５は、特定の情報を表示するための情報識別部である。識別表示５２４は、下ケース片２１０の前面の右上部に、下ケース片２１０を製造する金型による刻印によって形成されている（図１１参照）。
識別表示５２５は、キャップ２４０の背面に、キャップ２４０を製造する金型による刻印によって形成されている。識別表示５２３の表示態様については後述する。
【００５３】
識別表示５２１〜５２５は互いに関連しており、少なくとも同じ識別表示５２９を含む。本実施形態では、一例として、識別表示５２１は、「ＡＢＣＤ０１」の文字列であり、識別表示５２２は、「ＡＢＣＤ０２」の文字列である。識別表示５２３は、「ＡＢＣＤ０３」の文字列であり、識別表示５２４は、「ＡＢＣＤ０４」の文字列である。識別表示５２５は、「ＡＢＣＤ０５」の文字列である。識別表示５２１〜５２５において同じ識別表示５２９は、「ＡＢＣＤ」である。識別表示５２９は、例えば、メーカー名及び機種名等に対応した表示である。本実施形態では、一例として、「ＡＢＣＤ」のうち、「ＡＢ」はメーカー名を表し、「ＣＤ」は機種名を表すとする。
なお、識別表示５２１〜５２５において、メーカー名を「ＡＢＣＤ」に含まれる「ＡＢ」で表示するではなく、図１７の識別表示１５９５、１５９６における「ＡＡ社」のように、メーカー名そのものを表示してもよい。また、機種名を「ＡＢＣＤ」に含まれる「ＣＤ」で表示するではなく、図１７の識別表示１５９５、１５９６における「ＣＲあいう」のように、機種名そのものを表示してもよい。また、識別表示５２１〜５２５に、図１７の識別表示１５９５、１５９６における型式「ＧＨ１０１」のように、型式が表示されてもよい。この場合、識別表示５２１〜５２５において同じ識別表示は、機種名「ＣＲあいうＧＨ１０１」、及びメーカー名「ＡＡ社」となる。
【００５４】
以下の説明では、上ケース片２２０において、主基板ケース２００の内側を形成する面を内面５３２という。上ケース片２２０において、主基板ケース２００の外側を形成する面を外面５３１という。図６（ｃ）、図９（ｃ）、及び図１１に示すように、外面５３１には、位置表示部５４１が設けられている。位置表示部５４１は、識別表示５２３を付与する位置を表示する部位である。位置表示部５４１は、主基板ケース２００において、メインＲＯＭ５０２に重なる部位とは異なる部位に設けられている。より詳細には、位置表示部５４１は、後側から見た場合に矩形状であり、上ケース片２２０の右下部に設けられている。メインＲＯＭ５０２は、後側から見た場合に、位置表示部５４１より左側に設けられている。位置表示部５４１は、前側に向かって凹んだ凹部である。
【００５５】
図９（ｂ）に示すように、位置表示部５４１には、光透過性を有する素材で成されたシール部５４２が貼り付けられている。本実施形態ではシール部５４２は、一例として透明であるとする。
シール部５４２には、シール本体（ベース部）に対して印刷部７９７が印刷されている。
後述するすべての基板ケースに貼付される全てのシール部について、粘着性を有するシール本体（ベース部）に対して印刷（印字）が行われ、あるいはシール本体（ベース部）に対して書き込み可能な下地が形成されている点で共通している。
本実施形態では、一例として、印刷部７９７は、識別表示５２３である。
シール部５４２に、識別表示５２３が印刷されていることによって、位置表示部５４１に識別表示５２３が付された状態となる。シール部５４２は、主基板ケース２００において複数の電子部品５９５の少なくとも一部を跨いで配置されている。言い換えると、シール部５４２は、後方から見た場合に、主基板ケース２００において複数の電子部品５９５に重なる状態で配置されている。なお、図９（ｂ）には、複数の電子部品５９５のうちの一部を図示しており、実際には、他の電子部品（図７参照）も存在する。上ケース片２２０の識別表示５２３は、メインＲＯＭ５０２の装着箇所が視認できる角度を有するように表示されている。本実施形態では、上ケース片２２０に付された識別表示５２３によりメインＲＯＭ５０２の装着箇所が視認性を阻害されない。なお、後述する変形例におけるシール部１５６１（図１８参照）の場合と同様に、主基板ケース２００が所定の角度にある場合に、識別表示５２３が、メインＲＯＭ５０２の装着箇所と重なってもよい。本実施形態では、上ケース片２２０に付された識別表示５２３によりメインＲＯＭ５０２の装着箇所が視認性を阻害されない。
【００５６】
以上のように、本実施形態における遊技機１が形成される。本実施形態では、制御基板
５０１を内包する主基板ケース２００が設けられている。図６、図７、図９、及び図１１に示すように、主基板ケース２００には、識別表示５２３を付与する位置を表示する部位である位置表示部５４１が設けられている。このため、位置表示部５４１が設けられていない場合に比べ、検査者は、主基板ケース２００に付された識別表示５２３を容易に確認することができる。よって、不正行為の発生を抑制することができる。故に、遊技者が安心して遊技することができ、遊技者の興趣が向上する。
また、遊技機１の製造時においては、位置表示部５４１が設けられていない場合に比べて、製造者が、識別表示５２０を付与する位置を把握し易い。このため、例えばシール部５４２が使用され、製造者によって識別表示５２３が付与される場合に、複数の遊技機１の間で、異なる位置に識別表示５２３が付与される可能性を低減できる。このため、位置表示部５４１が設けられていない場合に比べて、検査者は、主基板ケース２００に付された識別表示５２３を容易に確認することができる。よって、不正行為の発生を抑制することができる。故に、遊技者が安心して遊技することができ、遊技者の興趣が向上する。
【００５７】
また、位置表示部５４１は、主基板ケース２００の外面５３１に形成され、識別表示５２０を位置決めするため凹部である。凹部である位置表示部５４１が設けられているので、例えば、主基板ケース２００の平面に印刷等によって位置表示部５４１が表示される場合に比べて、検査者が位置表示部５４１の位置を、把握し易い。
よって、検査者は、主基板ケース２００に付された識別表示５２３を容易に確認することができる。故に、不正行為の発生を抑制することができる。このため、遊技者が安心して遊技することができ、遊技者の興趣が向上する。
また、製造者は、凹部である位置表示部５４１に沿って識別表示５２０を位置決めすることができる。このため、製造者は、遊技機１を量産する場合において、複数の遊技機１間で同じ位置に識別表示５２０を付することができる。複数の遊技機１間で同じ位置に識別表示５２０が付されるので、検査者は、識別表示５２０を容易に確認することができる。故に、不正行為の発生を抑制することができる。このため、遊技者が安心して遊技することができ、遊技者の興趣が向上する。
【００５８】
また、位置表示部５４１は、主基板ケース２００においてメインＲＯＭ５０２に重なる部位とは異なる部位に設けられている。この場合、位置表示部５４１に付される識別表示５２３とメインＲＯＭ５０２が重なる可能性を低減できる。このため、検査者が、識別表示５２３とメインＲＯＭ５０２との両方を同時に確認することができる。よって、例えば、不正行為によってメインＲＯＭ５０２が入れ替えられたことを容易に発見することができる。このため、遊技者が安心して遊技することができ、遊技者の興趣が向上する。
【００５９】
また、主基板ケース２００に添付された情報識別部である識別表示５２３と、メインＲＯＭ５０２に添付された情報識別部である識別表示５２２とは、少なくとも同じ識別表示５２９を含む。また、上ケース片２２０に付された識別表示５２３は、メインＲＯＭ５０２の装着箇所が視認できる角度を有するように表示されている。また、本実施形態では、上ケース片２２０に付された識別表示５２３によってメインＲＯＭ５０２の装着箇所の視認性を阻害されることはない。上ケース片２２０に付された識別表示５２３は、メインＲＯＭ５０２の装着箇所が視認できる角度を有するように表示されているので、検査者は、同じ識別表示５２９が付されたメインＲＯＭ５０２と、主基板ケース２００とを確認し、不正行為が行われていないことを容易に確認することができる。また、不正行為によって、例えば、メインＲＯＭ５０２が、他のＲＯＭに入れ替えられた場合でも、メインＲＯＭ５０２と主基板ケース２００に付された識別表示５２９が同じであるか否かを判断することで、検査者は、容易に不正行為が行われたことを確認できる。このため、不正行為の発生を抑制することができる。よって、遊技者が安心して遊技することができ、遊技者の興趣が向上する。
【００６０】
また、主基板ケース２００に添付された情報識別部である識別表示５２３と、メインＲＯＭ５０２に添付された情報識別部である識別表示５２２と、主制御基板５０に表示された情報識別部である識別表示５２１とは、少なくとも同じ識別表示５２９（本実施形態では「ＡＢＣＤ」の文字列）を含む。このため、検査者は、同じ識別表示５２９が付された主制御基板５０、メインＲＯＭ５０２、及び主基板ケース２００を確認し、不正行為が行われていないことを容易に確認することができる。また、不正行為によって、主制御基板５０及びメインＲＯＭ５０２の少なくとも一方が、他の主制御基板５０及びメインＲＯＭ５０２に入れ替えられた場合でも、主制御基板５０、メインＲＯＭ５０２、及び主基板ケース２００に付された識別表示５２９が同じであるか否かを判断することで、検査者は、容易に不正行為が行われたことを確認できる。このため、不正行為の発生を抑制することができる。よって、遊技者が安心して遊技することができ、遊技者の興趣が向上する。
【００６１】
主基板ケース２００は、複数のコネクタ７７１〜７７６を視認可能に、主制御基板５０を内包する。複数のコネクタ７７１〜７７６が視認可能であるので、例えば、主制御基板５０とは異なる機器がコネクタ７７１〜７７６に接続される不正が行われているか否かを容易に判断できる。よって、不正が行われる可能性を低減でき、遊技者が安心して遊技できる。よって、遊技者の興趣が向上する。
また、検出信号コネクタ７７４、７７５が蛍光色であるので、蛍光色でない場合に比べて、検査者が視認しやすくなる。このため、例えば、主制御基板５０とは異なる機器が検出信号コネクタ７７４、７７５に接続される不正が行われているか否かを容易に判断できる。よって、不正が行われる可能性を低減でき、遊技者が安心して遊技できる。故に、遊技者の興趣が向上する。
【００６２】
また、検出信号コネクタ７７４、７７５は、複数設けられている。このため、検出信号コネクタが１つである場合に比べて、検出信号コネクタ７７４、７７５を検査者が確認しやすい。このため、例えば、主制御基板５０とは異なる機器が検出信号コネクタ７７４、７７５に接続される不正が行われているか否かを容易に判断できる。よって、不正が行われる可能性を低減でき、遊技者が安心して遊技できる。故に、遊技者の興趣が向上する。
また、メインＲＯＭ５０２が備える第１信号ピン５８２は主基板ケース２００を介して視認可能に配置されている。第１信号ピン５８２が視認可能であるので、例えば、主制御基板５０とは異なる機器が第１信号ピン５８２に対して接続される不正が行われているか否かを容易に判断できる。このため、不正が行われる可能性を低減でき、遊技者が安心して遊技できる。よって、遊技者の興趣が向上する。
また、複数の電子部品５９５が備える第２信号ピン５８３は、主基板ケース２００を介して視認可能に配置されている。第２信号ピン５８３が視認可能であるので、例えば、主制御基板５０とは異なる機器が第２信号ピン５８３に対して接続される不正が行われているか否かを容易に判断できる。このため、不正が行われる可能性を低減でき、遊技者が安心して遊技できる。よって、遊技者の興趣が向上する。
【００６３】
また、主制御基板５０は、下ケース片２１０側に、ビス７６９（図９（ｂ）参照）によってビス止めされている。このため、ビス止めされていない場合に比べて、主制御基板５０を不正に交換し難い。よって、不正が行われる可能性を低減でき、遊技者が安心して遊技できる。故に、遊技者の興趣が向上する。
また、上ケース片２２０と下ケース片２１０とは、互いにスライドされて組み合わせられる。このため、不正行為をしようとする者が、上ケース片２２０と下ケース片２１０とを分離するために、単に上ケース片２２０と下ケース片２１０とを引き離そうとしても、上ケース片２２０と下ケース片２１０が分離され難い。よって、主制御基板５０を不正に交換し難い。よって、不正が行われる可能性を低減でき、遊技者が安心して遊技できる。故に、遊技者の興趣が向上する。
尚、本発明は上記実施形態に限定されることなく、種々の変更が可能である。以下の各変形例において、上記実施形態の構成に対応する構成は、同じ符号で示し、詳細な説明は省略する。
位置表示部５４１は、凹部であったが、これに限定されない。例えば、後述するように位置表示部５４１は凸部であってもよい。
【００６４】
図１２乃至図１４は、主基板ケースに設ける位置表示部の変形例を示す図である。
図１２は、主基板ケース２００の変形例に係る基板ケースの上ケース片２２０において、図９に示すＡ−Ａ線の位置における矢方向断面を示している。図１２に示すように、位置表示部５４１は、上ケース片２２０の外面５３１に形成された凸部であり、後側に突出している。位置表示部５４１には、シール部５４２によって識別表示５２３が付されている。
また、位置表示部５４１は、上ケース片２２０の外面５３１に設けられていたが、これに限定されない。例えば、位置表示部５４１は、上ケース片２２０の内面５３２に設けられてもよい。
【００６５】
図１３は、主基板ケース２００の変形例に係る基板ケースの上ケース片２２０において、図９に示すＡ−Ａ線の位置における矢方向断面を示している。図１３に示すように、位置表示部５４１は、上ケース片２２０の内面５３２に形成された凹部であり、後側に凹んでいる。位置表示部５４１には、シール部５４２によって識別表示５２３が付されている。尚、識別表示５２３は、シール部５４２の後側に印刷されている。このため、検査者は、主基板ケース２００の後側から、透明な上ケース片２２０を介して、識別表示５２３を確認することができる。
【００６６】
図１４は、主基板ケース２００の変形例に係る基板ケースの上ケース片２２０において、図９に示すＡ−Ａ線の位置における矢方向断面を示している。図１４に示すように、位置表示部５４１は、上ケース片２２０内面５３２に形成された凸部であり、前側に突出している。位置表示部５４１には、シール部５４２によって識別表示５２３が付されている。尚、識別表示５２３は、シール部５４２の後側に印刷されている。このため、検査者は、基板ケースの後側から、透明な上ケース片２２０を介して、識別表示５２３を確認することができる。
以上のように、位置表示部５４１は、主基板ケース２００の内面５３２又は外面５３１に形成され、識別表示５２０を位置決めするための凸部又は凹部である。凸部及び凹部である位置表示部５４１が設けられているので、例えば、主基板ケース２００の平面に印刷等によって位置表示部５４１が表示される場合に比べて、検査者が識別表示５２０の位置を、把握し易い。よって、検査者は、主基板ケース２００に付された識別表示５２０を容易に確認することができる。故に、不正行為の発生を抑制することができる。よって、遊技者が安心して遊技することができ、遊技者の興趣が向上する。
【００６７】
また、製造者は、凸部又は凹部である位置表示部５４１に沿って識別表示５２０を位置決めすることができる。このため、製造者は、遊技機１を量産する場合において、複数の遊技機１間で同じ位置に識別表示５２０を付することができる。複数の遊技機１間で同じ位置に識別表示５２０が付されるので、検査者は、識別表示５２０を容易に確認することができる。故に、不正行為の発生を抑制することができる。このため、遊技者が安心して遊技することができ、遊技者の興趣が向上する。
また、主制御基板５０を内包する複数の部材は、上ケース片２２０、下ケース片２１０、及びキャップ２４０のうち、一部を含まなくてもよい。また、複数の部材は、上ケース片２２０、下ケース片２１０、及びキャップ２４０とは異なる部材をさらに含んでいてもよい。
【００６８】
また、主制御基板５０、メインＲＯＭ５０２、及び複数の部材に識別表示５２０が付されていたが、これに限定されない。例えば、主制御基板５０と複数の部材とのうち、少なくとも２つに、関連した識別表示５２０が付されてもよい。例えば、複数の部材に含まれるキャップ２４０に識別表示５２５が付されなくてもよい。また、複数の部材に含まれる下ケース片２１０に識別表示５２４が付されなくてもよい。また、複数の部材に含まれる上ケース片２２０に識別表示５２３が付されなくてもよい。検査者は、主制御基板５０と複数の部材とのうち、少なくとも２つに付された識別表示５２０を確認し、不正行為が行われか否かを容易に確認することができる。例えば、不正行為によって、主制御基板５０が、他の制御基板に入れ替えられた場合でも、主制御基板５０と複数の部材とのうち、少なくとも２つに付された識別表示５２０が関連しているか否かを判断することで、検査者は、容易に不正行為が行われたことを確認できる。このため、不正行為の発生を抑制することができる。よって、遊技者が安心して遊技することができ、遊技者の興趣が向上する。
【００６９】
また、識別表示５２０は、主制御基板５０、上ケース片２２０、及び下ケース片２１０のうち、少なくとも２つに付されてもよい。この場合、検査者は、主制御基板５０、上ケース片２２０、及び下ケース片２１０のうち、少なくとも２つに付された識別表示５２０を確認し、不正行為が行われか否かを容易に確認することができる。例えば、不正行為によって、主制御基板５０が他の制御基板に入れ替えられた場合でも、主制御基板５０、上ケース片２２０、及び下ケース片２１０のうちのうち、少なくとも２つに付された識別表示５２０が関連しているか否かを判断することで、検査者は、容易に不正行為が行われたことを確認できる。このため、不正行為の発生を抑制することができる。よって、遊技者が安心して遊技することができ、遊技者の興趣が向上する。
【００７０】
また、識別表示５２０は、少なくとも上ケース片２２０とメインＲＯＭ５０２とに付されてもよい。この場合、検査者は、少なくとも上ケース片２２０とメインＲＯＭ５０２に付された識別表示５２０を確認し、不正行為が行われか否かを容易に確認することができる。例えば、不正行為によって、メインＲＯＭ５０２が他のＲＯＭに入れ替えられた場合でも、少なくとも上ケース片２２０とメインＲＯＭ５０２に付された識別表示５２０が関連しているか否かを判断することで、検査者は、容易に不正行為が行われたことを確認できる。このため、不正行為の発生を抑制することができる。よって、遊技者が安心して遊技することができ、遊技者の興趣が向上する。
また、識別表示５２０は、互いに関連していればよい。例えば、識別表示５２０は、全て同じ識別表示（例えば、全て「ＡＢＣＤ０１」等）でもよい。また、識別表示５２０が夫々異なる表示でもよく、同じ識別表示５２９が含まれなくてもよい。検査者が確認できる態様であれば、識別表示５２０の記載内容は限定されない。また、識別表示５２０は文字列でなくてもよい。例えば、識別表示５２０は、種々のマークであってもよい。また、識別表示５２０が付される態様は限定されない。例えば、識別表示５２１だけでなく、識別表示５２１〜５２５が全てシール部に印刷されて付与されてもよい。また、該シール部は透明でなくてもよい。また、識別表示５２３〜５２５が全て主基板ケース２００を製造する金型によって刻印されてもよい。
【００７１】
なお、本実施形態において、シール部５４２を貼り付ける位置を示す貼付位置マークである位置表示部５４１は、以下のような形態を取り得る。
すなわち、位置表示部５４１は、シール部５４２を貼り付けする上ケース面と同一面あるいは裏面におけるシール部５４２の全周を囲むマーク、シール部５４２を貼り付けする上ケース面と同一面あるいは裏面におけるＬ字側のマークである。
位置表示部５４１は、シール部５４２の周囲を囲むように設けられた線状の凸部である。
位置表示部５４１は、シール部５４２と同一面においてシール部５４２の周囲を囲むように設けられた線状の凹部である。
位置表示部５４１は、シール部５４２の裏面においてシール部５４２の周囲を囲むように設けられた線状の凸部である。
【００７２】
位置表示部５４１は、シール部５４２の裏面においてシール部５４２の周囲を囲むように設けられた線状の凹部である。
位置表示部５４１は、シール部５４２と同一面においてシール部５４２の所定の角部を囲むように設けられたＬ字型で線状の凸である。
位置表示部５４１は、シール部５４２と同一面においてシール部５４２の所定の角部を囲むように設けられたＬ字型で線状の凹部である。
位置表示部５４１は、シール部５４２の裏面において所定の角部を囲むように設けられたＬ字型で線状の凸部、凹部である。
位置表示部５４１は、シール部５４２を囲むように設けられた凸部でも凹部でもない位置マークである。
【００７３】
また、識別表示５２０は、主基板ケース２００の素材の内部に形成されていてもよい。
図１５、図１６は、識別表示を主基板ケースに形成する変形例を示す図である。
以下、図１５及び図１６を参照し、該変形例について説明する。
図１５に示す主基板ケースにおいて、識別表示５２３が表示された部位を識別表示部１３９０という。また、識別表示部１３９０より外側の部位を、外側部位１３９１という。図１６に示すように、識別表示部１３９０は、外側部位１３９１より後側に突出している。このため、識別表示部１３９０の厚みＬ１は、外側部位１３９１の厚みＬ２よりも大きい。
識別表示５２３は、識別表示部１３９０を形成する部材（本実施形態では、上ケース片２２０の素材）の内部に形成されている。識別表示５２３は、識別表示部１３９０において厚み方向（前後方向）の複数（本実施形態では４つ）の階層１３８１、１３８２、１３８３、１３８４に分割されて設けられている。
識別表示５２３の「Ａ」の文字１３７１は、階層１３８１に形成されている。「Ｂ」の文字１３７２は、階層１３８２に形成されている。「Ｃ」の文字１３７３は、階層１３８３に形成されている。「Ｄ」の文字１３７４は、階層１３８４に形成されている。「０」の文字１３７５は、階層１３８２に形成されている。「３」の文字１３７６は、階層１３８３に形成されている。
【００７４】
尚、識別表示５２３を、識別表示部１３９０を形成する部材の内部に形成する方法は限定されない。例えば、３Ｄレーザ彫刻によって、識別表示５２３が形成されてもよい。３Ｄレーザ彫刻とは、レーザを集光させ、主基板ケース２００の素材の内部に、例えば１００ミクロンの微細なクラックを、例えば０．０８ｍｍ〜０．０１６ｍｍの間隔で形成する技術である。該クラックを複数形成することで、主基板ケース２００の内部に識別表示５２３が形成される。
本実施形態では、識別表示５２３は、識別表示部１３９０を形成する部材の内部に形成されている。このため、例えば、識別表示５２３の全体が主基板ケース２００の外面５３１又は内面５３２に形成されている場合に比べて、識別表示５２３が除去され難い。よって、不正行為の発生が抑制できる。故に、遊技者が安心して遊技することができ、遊技者の興趣が向上する。また、不正によって識別表示５２３が除去された場合には、図１５、図１６の主基板ケースに傷が形成される。このため、検査者が容易に不正行為を発見できる。よって、遊技者が安心して遊技することができ、遊技者の興趣が向上する。
【００７５】
また、識別表示５２３は、識別表示部１３９０において厚み方向の複数の階層１３８１〜１３８４に分割されて設けられている。このため、一層のみに識別表示５２３が形成されている場合に比べて、識別表示５２３が除去され難い。よって、不正行為の発生を抑制することができる。故に、遊技者が安心して遊技することができ、遊技者の興趣が向上する。
また、図１５、図１６の主基板ケースにおいて、識別表示部１３９０の厚みＬ１は、外側部位１３９１の厚みＬ２より大きい。この場合、Ｌ１がＬ２以下の場合に比べて、不正者が識別表示５２０を除去しようとした場合に、主基板ケース２００をより深く削る必要がある。このため、図１５、図１６の主基板ケースに傷が生じやすい。このため、検査者が容易に不正行為を発見できる。よって、遊技者が安心して遊技することができ、遊技者の興趣が向上する。
尚、識別表示５２３が、識別表示部１３９０において厚み方向の複数の階層１３８１〜１３８４に分割されていなくてもよい。例えば、一層のみに識別表示５２３が形成されてもよい。また、識別表示部１３９０の厚みＬ１は、外側部位１３９１の厚みＬ２以下でもよい。また、識別表示５２３について説明したが、識別表示５２４、５２５等、図１５、図１６の主基板ケースに設けられる識別表示５２０についても同様に、図１５、図１６の主基板ケースの内部に形成されてもよい。
【００７６】
また、主基板ケース２００には、シール部５４２等以外にも種々のシールが添付されてもよい。また、シール部５４２等の種々のシールに設けられる印刷部（例えば、印刷部７９７）に表示される内容は限定されない。
【００７７】
図１７は、主基板ケースの変形例を示す図である。
例えば、図１７に示す変形例に係る主基板ケースには、シール部５４２に加え、シール部１５６０及びシール部１５６１が貼り付けられている。なお、図１７において、上記実施形態と同様の構成の部材は、同じ符号で示し、詳細な説明は省略する。
シール部１５６０は、主基板ケース２００の上ケース片２２０の左右方向中央部の上部に貼り付けられている。シール部１５６１は、主基板ケース２００の上ケース片２２０の左上部に貼り付けられている。シール部１５６０、１５６１は、光透過性を有する素材で形成されており、本実施形態では、一例として、透明であるとする。シール部１５６０、１５６１は、夫々、複数の電子部品５９５（図７参照）を跨いで配置されている。なお、図１７においては、シール部１５６０、１５６１の前側に位置する複数の電子部品５９５（図７参照）等、種々の電子部品の図示は省略している。
【００７８】
シール部１５６０には、印刷部１５７１が印刷されている。印刷部１５７１は、複数の領域１５７５を備えている。印刷部１５７１は、有色であり、本実施形態では、一例として白色の下地を有する。複数の領域１７５７は、コード部１５７２、情報表示部１５７３、及び記載領域１５７０を含む。シール部１５６０は、印刷部１５７１、コード部１５７２、情報表示部１５７３、及び記載領域１５７０が、メインＲＯＭ５０２と重ならない位置となるように、設けられている。
コード部１５７２は、シール部１５６０の左上部に設けられている。コード部１５７２は、所定の情報を含む。コード部１５７２は、他の機器によって情報が読み取られる部位であり、例えば、矩形状の有色（本実施形態では白色）の領域に、ＱＲコード（登録商標）、バーコード等が黒色で印刷されている。本実施形態では、一例として、コード部１５７２は、ＱＲコード（登録商標）を含む。
【００７９】
コード部１５７２は、例えば、遊技機１とは異なる機器（以下、「他機器」という。）に記憶された、主制御基板５０の納入先を示す情報と紐付けられている。例えば、情報携帯端末等に備えられたカメラによってコード部１５７２に含まれる情報であるＵＲＬ（Uniform Resource Locator）が読み取られる。情報携帯端末は、
該ＵＲＬを使用し、ネットワークを介して他機器にアクセスする。他機器にアクセスした結果、情報携帯端末に表示される情報には、主制御基板５０の納入先（例えば、遊技機１が納入された店舗名）、及び、遊技機１が廃棄されたか否か等の情報が含まれている。これによって検査者は、主制御基板５０の納入先を示す情報、及び遊技機１が廃棄されたか否か等の情報を容易に確認することができる。
【００８０】
情報表示部１５７３には、種々の情報が含まれる。情報表示部１５７３は、例えば、識別表示５２９と同様の情報が含まれてもよい。本実施形態では、一例として、情報表示部１５７３には、矩形状の有色（本実施形態では白色）の領域に、「ＥＦ００１」の文字列が印刷されている。該文字列は、一例として、主制御基板５０の管理番号である。該管理番号によって、検査者は、メーカーが保有している管理番号に紐づいた情報から、遊技機１の納入先、遊技機１が廃棄されたか否か等の情報を調べることができる。なお、情報表示部１５７３の文字列は、メーカー名、機種名、型式等に対応する情報を含んでもよい。また、情報表示部１５７３が有する矩形状の領域と、コード部１５７２が有する矩形状の流域とは、左右方向において繋がっている。
【００８１】
記載領域１５７０は、一例として、上下方向に３行、左右方向に２列の計６個設けられている。記載領域１５７０は、矩形状の有色（本実施形態では白色）の下地によって印刷
されている。左上の記載領域１５７０の上方には、「開封者」と黒色で印刷されている。右上の記載領域１５７０の上方には、「開封年月日」と黒色で印刷されている。左上の記載領域１５７０の左方には、丸１と印刷されている。左側の上下方向中央の記載領域１５７０の左方には、丸２と印刷されている。左下の記載領域１５７０の左方には、丸３と印刷されている。
例えば、検査者は、主基板ケース２００を開封した場合に、検査者の名前を左側の記載領域１５７０に記載し、主基板ケース２００を開封した年月日を、右側の記載領域１５７０に記載する。なお、検査者は、記載領域１５７０に、主制御基板５０に不正が行われたか否かを確認した年月日等を記載してもよい。
【００８２】
シール部１５６０は、電子部品７９８を覗くための覗き部１５７４を備えている。覗き部１５７４は、複数の領域１５７５同士の間に設けられている。覗き部１５７４は、光透過性を有する。本実施形態では、覗き部１５７４は、シール部１５６０における印刷されていない部分によって形成されており、透明である。本実施形態においては、上下方向３行の記載領域１５７０の間に、左右方向に延びる覗き部１５７４が設けられている。また、左右に並んだコード部１５７２及び情報表示部１５７３と、上側の２つ記載領域１５７０との間に、左右方向に延びる覗き部１５７４が設けられている。左右方向２列の記載領域１５７０の間に、上下方向に延びる覗き部１５７４が設けられている。
【００８３】
また、シール部１５６１は、特定の情報を表示するための情報識別部である。例えば、特定の情報としてとして、機種名、メーカー名のうちの少なくとも１つが印刷される。本実施形態では、一例として、機種名「ＣＲあいうＧＨ１０１、及びメーカー名「ＡＡ社」が印刷されている。本実施形態では、これらの情報が印刷された部位を印刷部１５６３ともいう。また、シール部１５６１に表示される特定の情報を識別表示１５９５という。本実施形態では、識別表示１５９５は、機種名「ＣＲあいうＧＨ１０１」、及びメーカー名「ＡＡ社」である。
【００８４】
また、メインＲＯＭ５０２には、シール部１５６２が貼り付けられている。シール部１５６２は、メインＲＯＭ５０２の識別表示５２３「ＡＢＣＤ０２」の左側に貼り付けられている。シール部１５６２は、特定の情報を表示するための情報識別部である。例えば、特定の情報としてとして、機種名、メーカー名のうちの少なくとも１つが印刷される。本実施形態では、一例として、シール部１５６２には、所定の情報として、機種名「ＣＲあいうＧＨ１０１」、及びメーカー名「ＡＡ社」が印刷されている。また、シール部１５６２に表示される特定の情報を識別表示１５９６という。本実施形態では、識別表示１５９５は、機種名「ＣＲあいうＧＨ１０１」、及びメーカー名「ＡＡ社」である。
【００８５】
また、シール部１５６１とシール部１５６２は、少なくとも同じ識別表示１５９５、１５９６を含んで表示される。本実施形態においては、識別表示１５９５、１５９６における種名「ＣＲあいうＧＨ１０１」、及びメーカー名「ＡＡ社」が全て同じであるが、一部が同じであればよい。
シール部１５６２には、識別表示１５９６で特定される情報を示すＱＲコード（登録商標）が表示されてもよい。
なお、識別表示１５９５、１５９６は、主基板ケース２００とメインＲＯＭ５０２に付されているが、他の部材に付されてもよい。例えば、主制御基板５０に、識別表示１５９５、１５９６と同じ識別表示を含んで表示されてもよい。
【００８６】
以上のように、本実施形態ではシール部５４２、１５６０、１５６１が複数の電子部品５９５（図７参照）の少なくとも一部を跨いで配置されるので、例えば、シール部５４２、１５６０、１５６１と電子部品５９５との位置関係を確認することで、検査者は、主制御基板５０に不正が行われたか否かを判断できる。このため、不正が行われる可能性を低減でき、遊技者が安心して遊技できる。よって、遊技者の興趣が向上する。
また、領域１５７５が設けられているので、検査者は、領域１５７５（より詳細には、記載領域１５７０）に、検査者の名前、及び、主基板ケース２００を開封した年月日を記載することができる。また、検査者は、主制御基板５０に不正が行われたか否かを確認した日付等を、領域１５７５に記載することもできる。また、領域１５７５の間に覗き部１５７４が設けられているので、領域１５７５のみが設けられている場合に比べて、領域１５７５が目立ちやすい。このため、領域１５７５に記載された文字等を検査者が確認し易くなる。よって、不正が行われる可能性を低減でき、遊技者が安心して遊技できる。故に、遊技者の興趣が向上する。
【００８７】
また、覗き部１５７４が設けられているので、検査者は、覗き部１５７４を介して、電子部品７９８を確認することができる。よって、覗き部１５７４が設けられていない場合に比べて、検査者は、電子部品７９８に対して不正が行われたか否かを容易に確認できる。よって、不正が行われる可能性を低減でき、遊技者が安心して遊技できる。故に、遊技者の興趣が向上する。
また、コード部１５７２は、メインＲＯＭ５０２と重ならない位置に設けられている。このため、検査者はメインＲＯＭ５０２を容易に確認することができる。このため、検査者は、メインＲＯＭ５０２を確認し、不正が行われているか否かを容易に判断できる。よって、遊技者が安心して遊技できる。故に、遊技者の興趣が向上する。
【００８８】
また、コード部１５７２は、遊技機１とは異なる機器に記憶された、主制御基板５０の納入先を示す情報と紐付けられている。これによって、検査者は、コード部１５７２を使用して、主制御基板５０の納入先を示す情報を容易に確認することができる。このため、検査者は、納入先の情報を確認し、納入先の異なる主制御基板５０が装着される不正が行われたか否かを容易に判断できる。よって、遊技者が安心して遊技できる。故に、遊技者の興趣が向上する。
【００８９】
また、メインＲＯＭ５０２にシール部１５６２が貼り付けられ、シール部１５６２に所定の情報が表示されている。このため、検査者は、シール部１５６２を確認することで、メインＲＯＭ５０２が入れ替えられる不正を容易に確認することができる。よって、不正が行われる可能性を低減でき、遊技者が安心して遊技できる。故に、遊技者の興趣が向上する。
また、シール部１５６１に、機種名、メーカー名のうちの少なくとも１つが印刷されているので、検査者は、容易に、機種名、メーカー名のうちの少なくとも１つを把握することができる。よって、検査者は、機種名、メーカー名のうちの少なくとも１つを確認し、不正が行われているか否かを容易に判断できる。故に、遊技者が安心して遊技できる。故に、遊技者の興趣が向上する。
【００９０】
なお、メインＲＯＭ５０２の形状は限定されない。上記実施形態におけるメインＲＯＭ５０２は、図９に示すように、上下左右に延びる板状の本体部５８０を有している。しかし、本体部５８０が、前後左右に延びてもよい。この場合、第１信号ピンは、前方に延び、主制御基板５０と電気的に接続されてもよい。また、本体部５８０が前後左右に延びる場合、シール部１５９１に表示された所定の情報は、本体部５８０の上面又は下面に表示されてもよい。
また、シール部５４２、１５６０、１５６１に表示される各種の情報は、メインＲＯＭ５０２の装着箇所が視認できる角度を有するように表示されればよい。
例えば、図１８は、シール部１５６１及びメインＲＯＭ５０２を、後斜め上方から見た図である。図１８においては、シール部１５６１及びメインＲＯＭ５０２以外の部材の図示は省略している。この場合、シール部１５６１に表示される情報が、メインＲＯＭ５０２の装着箇所に重なっている。すなわち、図１８は、シール部１５６１に表示される情報が、メインＲＯＭ５０２の装着箇所を視認し難くなる角度から見た図である。しかし、図１７に示すように、後側から見た場合には、メインＲＯＭ５０２の装着箇所を視認できる。すなわち、図１７は、シール部１５６１に表示される情報が、メインＲＯＭ５０２の装着箇所を視認できる角度から見た図である。このように、シール部１５６１に表示される情報は、メインＲＯＭ５０２の装着箇所が視認できる角度を有するように表示される。なお、シール部１５６１を例にして説明したが、他のシール部５４２、１５６０に表示される各種情報（例えば、識別表示５２３の情報）が、メインＲＯＭ５０２の装着箇所が視認できる角度を有するように表示されればよい。
【００９１】
＜主制御基板の基板構造＞
本実施形態の主基板ケースに収容される主制御基板の構成（レイアウト）は、上記に説明したものにとどまらない。
図１９は、本実施形態に係る主制御基板の他の構成を説明するための図であり、図１９（ａ）は、主制御基板の部品面（表面）の構成を示した図、図１９（ｂ）は、主制御基板の半田面（裏面）の構成を示した図である。
また図２０は、主制御基板に用いられるプリント基板の構成を示した図であり、図２０（ａ）は、プリント基板の部品面（表面）の構成を示した図、図２０（ｂ）は、プリント基板の半田面（裏面）の構成を示した図である。
【００９２】
主制御基板５０では、図２０（ａ）（ｂ）に示すように、プリント基板の両面に配線パターンが形成されたプリント配線基板７０１が用いられている。
プリント配線基板７０１では、電子部品を実装する実装方式として、プリント配線基板７０１の部品面７０１ａにのみ各種電子部品やコネクタを実装する片面実装方式が採用されている。
さらに、プリント配線基板７０１では、基板に形成したスルーホール（部品挿入穴）に挿入実装型（スルーホール実装型）の抵抗Ｒ、コンデンサＣ、トランジスターＴｒ、ＩＣなどの各種電子部品やコネクタＣＮを実装する挿入実装方式が採用されている。
このため、図２５に示すように、プリント配線基板７０１には、各種電子部品のリードを挿入するためのスルーホール（部品挿入穴）７０２が設けられている。この場合、プリント配線基板７０１の半田面７０１ｂ側のスルーホール７０２の周囲には接続用電極（接続用ランド）７０３が設けられている。
【００９３】
接続用電極７０３は、プリント配線基板７０１の部品面７０１ａ側からスルーホール７０２に挿入された電子部品のリードを例えば半田により接続するための電極であり、電子部品のリードを半田により接続すると、電子部品と基板上の配線パターンとが電気的に接続されると共に、電子部品が機械的に保持されることになる。
つまり、主制御基板５０は、挿入実装型電子部品のリードを挿入可能なスルーホール７０２を備えたプリント配線基板７０１により構成されている。
【００９４】
図２１は、図１９、図２０に示す主制御基板を収納した場合の本実施形態の主基板ケースを示す図であり、（ａ）は、組立体の斜視図を示し、（ｂ）組立体の正面図を示している。また、図２２は、台座を含む主基板ケースの分解斜視図である。
図２１、図２２に示す主基板ケースには、シール部１５６０及びシール部１５６１が貼り付けられている。
また、図６乃至図１８と同様に、識別表示５２０は、主制御基板５０、メインＲＯＭ５０２、下ケース片２１０、上ケース片２２０、及びキャップ２４０に付されている。
識別表示５２０は、遊技機１に関する情報が含まれる表示である。制御基板５０に設けられた識別表示５２０を、識別表示５２１といい、メインＲＯＭ５０２に設けられた識別表示５２０を、識別表示５２２という。上ケース片２２０に設けられた識別表示５２０を、識別表示５２３といい、下ケース片２１０に設けられた識別表示５２０を、識別表示５２４という。キャップ２４０に設けられた識別表示５２０を、識別表示５２５という。
【００９５】
識別表示５２１は、主制御基板５０の背面の上部に、シルク印刷によって表示されている。識別表示５２１は、特定の情報を表示するための情報識別部である。識別表示５２２は、メインＲＯＭ５０２に、刻印によって添付されている。識別表示５２２は、特定の情報を表示するための情報識別部である。
主基板ケース２００に付された識別表示５２３、５２４、５２５は、特定の情報を表示するための情報識別部である。
位置表示部５４１は、例えば上ケース片２２０の内面５３２に形成された凹部であり、後側に凹んでいる。位置表示部５４１には、シール部５４２によって識別表示５２３が付されている。尚、識別表示５２３は、シール部５４２の後側に印刷されている。
識別表示５２４は、下ケース片２１０の前面の右上部に、下ケース片２１０を製造する金型による刻印によって形成されている（図１１参照）。
識別表示５２５は、キャップ２４０の背面に、キャップ２４０を製造する金型による刻印によって形成されている。
なお、図２１、図２２において、上記実施形態（特に、図６乃至図１８）と同様の構成の部材は、同じ符号で示し、詳細な説明は省略する。
シール部１５６０は、主基板ケース２００の上ケース片２２０の左右方向左側の下部に設けられた位置表示部５６１に貼り付けられている。シール部１５６１は、主基板ケース２００の上ケース片２２０の右上部に設けられた位置表示部５６１に貼り付けられている。
シール部１５６０、１５６１は、何れも光透過性を有する素材で形成されており、本実施形態では、一例として、透明であるとする。シール部１５６０、１５６１は、夫々、複数の電子部品５９５（図７参照）を跨いで配置されている。なお、図２１においては、シール部１５６０、１５６１の前側に位置する複数の電子部品５９５（図７参照）等、種々の電子部品の図示は省略している。
なお、この例において、シール部１５６０のシール部本体（ベース部）には、偽造防止用の透かしが設けられている。
「透かし」は、例えば、視認する角度によって見え方が異なるような表示であり、ホログラムを用いたもの、物理的な形状によって見え方が異なるもの、等様々なタイプのものを適用することが出来る。一般に、透かしがあるシールは、透かしがないものに比べて、シール部本体であるベース部の透光性が悪くなるため、シールを通した視認性が低くなる。
【００９６】
シール部１５６０には、印刷部１５７１が印刷されている。印刷部１５７１は、複数の領域１５７５を備えている。印刷部１５７１は、有色であり、本実施形態では、一例として白色の下地を有する。複数の領域１７５７は、コード部１５７２、情報表示部１５７３、及び記載領域１５７０を含む。シール部１５６０は、印刷部１５７１、コード部１５７２、情報表示部１５７３、及び記載領域１５７０が、メインＲＯＭ５０２と重ならない位置となるように、設けられている。
【００９７】
すなわち、シール部１５６０（開封者表示シール）には、主基板ケース２００を開封した開封者及び開封年月日を記載するための記載領域１５７０を備える。
シール部１５６０は、透明素材からなる。例えば、黒色で「主基板管理番号」などと見出しが付された枠内に、上下方向に３行、左右方向に２列の計６個の記載領域１５７０が形成されている。従って、シール部１５６０は、主基板管理用のシールである。
記載領域１５７０は、透明素材上に形成されたペン等で書き込み可能な白色の下地である。
記載領域１５７０の上方には、「開封者」「開封年月日」といった見出しが黒色で印字され、各記載領域の左側には、記載領域の番号を示す丸付きの数字が印字されている。
各印字、及び記載領域１５７０（白色の下地）以外は、透明素材が露出しており、透明素材を通して、主制御基板５０上の電子部品を確認することが出来る。
シール部１５６０、主制御基板５０上のメインＲＯＭ５０２に貼付されたシール部１５６２を、あらゆる角度から透明素材を介して視認可能な位置に貼り付けされる。
シール部１５６０は、３列の記載領域１５７０が、あらゆる角度からメインＲＯＭ６０１と重ならない位置となるように設けられている。
シール部１５６０に設けられる記載領域１５７０は、上下方向に３行、左右方向に２列の計６個であり、「開封者」及び「開封年月日」を３組記入することができる。
【００９８】
それに対し、上記したように主基板ケース２００が備えるカシメ部（カシメ締結穴２９１、すなわち閉止部）の数は２つ（カシメ締結穴２９１Ａ、カシメ締結穴２９１Ｂ）であった。
すなわち、主基板ケース２００に設けられたカシメ部（閉止部）の数は、主基板ケース２００に貼られたシール部１５６０に設けられた開封者及び開封年月日の記入欄の数以下である。
実際に可能な開封回数よりも多くの記入欄を設けておくことで、誤記やその他の誤りに対応可能であり、カシメ部の数と、記入欄を同数に場合と比べて柔軟な対応が可能である。
なお、図２１、図２２に示す主制御基板５０において、ＲＯＭ５０２は、上記と同様に、板状の本体部５８０と複数の第１信号ピン５８２とを備えている。
しかし、しかし、図２１、図２２のＲＯＭはその主面が主制御基板の基板面に直交するように立設されている。
そして、後述するシール部１５６２は、基板面に直交する主面に貼付されている。
【００９９】
以下に、シール部１５６０の表示内容を詳しく説明する。
コード部１５７２は、シール部１５６０の左上部に設けられている。コード部１５７２は、所定の情報を含む。コード部１５７２は、他の機器によって情報が読み取られる部位であり、例えば、矩形状の有色（本実施形態では白色）の領域に、ＱＲコード（登録商標）、バーコード等が黒色で印刷されている。本実施形態では、一例として、コード部１５７２は、ＱＲコード（登録商標）を含む。
【０１００】
コード部１５７２は、例えば、遊技機１とは異なる機器（以下、「他機器」という。）に記憶された、主制御基板５０の納入先を示す情報と紐付けられている。例えば、情報携帯端末等に備えられたカメラによってコード部１５７２に含まれる情報であるＵＲＬ（Uniform Resource Locator）が読み取られる。情報携帯端末は、
該ＵＲＬを使用し、ネットワークを介して他機器にアクセスする。他機器にアクセスした結果、情報携帯端末に表示される情報には、主制御基板５０の納入先（例えば、遊技機１が納入された店舗名）、及び、遊技機１が廃棄されたか否か等の情報が含まれている。これによって検査者は、主制御基板５０の納入先を示す情報、及び遊技機１が廃棄されたか否か等の情報を容易に確認することができる。
【０１０１】
情報表示部１５７３には、種々の情報が含まれる。情報表示部１５７３は、例えば、識別表示５２９と同様の情報が含まれてもよい。本実施形態では、一例として、情報表示部１５７３には、矩形状の有色（本実施形態では白色）の領域に、「ＥＦ００１」の文字列が印刷されている。該文字列は、一例として、主制御基板５０の管理番号である。該管理番号によって、検査者は、メーカーが保有している管理番号に紐づいた情報から、遊技機１の納入先、遊技機１が廃棄されたか否か等の情報を調べることができる。なお、情報表示部１５７３の文字列は、メーカー名、機種名、型式等に対応する情報を含んでもよい。また、情報表示部１５７３が有する矩形状の領域と、コード部１５７２が有する矩形状の流域とは、左右方向において繋がっている。
【０１０２】
記載領域１５７０は、一例として、上下方向に３行、左右方向に２列の計６個設けられている。記載領域１５７０は、矩形状の有色（本実施形態では白色）の下地によって印刷
されている。左上の記載領域１５７０の上方には、「開封者」と黒色で印刷されている。右上の記載領域１５７０の上方には、「開封年月日」と黒色で印刷されている。左上の記載領域１５７０の左方には、丸１と印刷されている。左側の上下方向中央の記載領域１５７０の左方には、丸２と印刷されている。左下の記載領域１５７０の左方には、丸３と印刷されている。
例えば、検査者は、主基板ケース２００を開封した場合に、検査者の名前を左側の記載領域１５７０に記載し、主基板ケース２００を開封した年月日を、右側の記載領域１５７０に記載する。なお、検査者は、記載領域１５７０に、主制御基板５０に不正が行われたか否かを確認した年月日等を記載してもよい。
【０１０３】
シール部１５６０は、主制御基板５０上の電子部品７９８を覗くための覗き部１５７４を備えている。覗き部１５７４は、複数の領域１５７５同士の間に設けられている。覗き部１５７４は、光透過性を有する。本実施形態では、覗き部１５７４は、シール部１５６０における印刷されていない部分によって形成されており、透明である。本実施形態においては、上下方向３行の記載領域１５７０の間に、左右方向に延びる覗き部１５７４が設けられている。また、左右に並んだコード部１５７２及び情報表示部１５７３と、上側の２つ記載領域１５７０との間に、左右方向に延びる覗き部１５７４が設けられている。左右方向２列の記載領域１５７０の間に、上下方向に延びる覗き部１５７４が設けられている。
【０１０４】
また、シール部１５６１は、特定の情報を表示するための情報識別部である。例えば、特定の情報としてとして、機種名、メーカー名、定格電圧及び全容量、のうちの少なくとも１つが印刷される。本実施形態では、一例として、機種名「ＣＲあいうＧＨ１０１」、及びメーカー名「ＡＡ社」が印刷されている。本実施形態では、これらの情報が印刷された部位を印刷部１５６３ともいう。また、シール部１５６１に表示される特定の情報を識別表示１５９５という。本実施形態では、識別表示１５９５は、型式を含む機種名「ＣＲあいうＧＨ１０１」、及びメーカー名「ＡＡ社」、定格電圧及び全容量（ＡＣ２４Ｖ±５％、２５０ＶＡ）である。
また、機種名を表示する部分には透明素材に対して赤や黄色といった目立つ色で下地を形成し、下地上に白字で機種名を表示する。
【０１０５】
また、メインＲＯＭ５０２には、シール部１５６２が貼り付けられている。シール部１５６２は、メインＲＯＭ５０２の識別表示５２３「ＡＢＣＤ０２」の左側に貼り付けられている。シール部１５６２は、特定の情報を表示するための情報識別部である。例えば、特定の情報としてとして、機種名、メーカー名のうちの少なくとも１つが印刷される。本実施形態では、一例として、シール部１５６２には、所定の情報として、機種名「ＣＲあいうＧＨ１０１」、及びメーカー名「ＡＡ社」が印刷されている。また、シール部１５６２に表示される特定の情報を識別表示１５９６という。本実施形態では、識別表示１５９５は、機種名「ＣＲあいうＧＨ１０１」、及びメーカー名「ＡＡ社」である。
シール部１５６２には、識別表示１５９６で特定される情報を示すＱＲコード（登録商標）が表示されてもよい。
また、シール部１５６１とシール部１５６２は、少なくとも同じ識別表示１５９５、１５９６を含んで表示される。本実施形態においては、識別表示１５９５、１５９６における種名「ＣＲあいう」、型式「ＧＨ１０１」、及びメーカー名「ＡＡ社」が全て同じであるが、一部が同じであればよい。
なお、識別表示１５９５、１５９６は、主基板ケース２００とメインＲＯＭ５０２に付されているが、他の部材に付されてもよい。例えば、主制御基板５０に、識別表示１５９５、１５９６と同じ識別表示を含んで表示されてもよい。
【０１０６】
以上のように、本実施形態ではシール部１５６０、１５６１が複数の電子部品５９５（図７参照）の少なくとも一部を跨いで配置されるので、例えば、シール部１５６０、１５６１と電子部品５９５との位置関係を確認することで、検査者は、主制御基板５０に不正が行われたか否かを判断できる。このため、不正が行われる可能性を低減でき、遊技者が安心して遊技できる。よって、遊技者の興趣が向上する。
また、シール部１５６０に領域１５７５が設けられているので、検査者は、領域１５７５（より詳細には、記載領域１５７０）に、検査者の名前、及び、主基板ケース２００を開封した年月日を記載することができる。また、検査者は、主制御基板５０に不正が行われたか否かを確認した日付等を、領域１５７５に記載することもできる。また、領域１５７５の間に覗き部１５７４が設けられているので、領域１５７５のみが設けられている場合に比べて、領域１５７５が目立ちやすい。このため、領域１５７５に記載された文字等を検査者が確認し易くなる。よって、不正が行われる可能性を低減でき、遊技者が安心して遊技できる。故に、遊技者の興趣が向上する。
【０１０７】
また、シール部１５６０に覗き部１５７４が設けられているので、検査者は、覗き部１５７４を介して、電子部品７９８を確認することができる。よって、覗き部１５７４が設けられていない場合に比べて、検査者は、電子部品７９８に対して不正が行われたか否かを容易に確認できる。よって、不正が行われる可能性を低減でき、遊技者が安心して遊技できる。故に、遊技者の興趣が向上する。
また、コード部１５７２は、メインＲＯＭ５０２と重ならない位置に設けられている。このため、検査者はメインＲＯＭ５０２を容易に確認することができる。このため、検査者は、メインＲＯＭ５０２を確認し、不正が行われているか否かを容易に判断できる。よって、遊技者が安心して遊技できる。故に、遊技者の興趣が向上する。
【０１０８】
また、コード部１５７２は、遊技機１とは異なる機器に記憶された、主制御基板５０の納入先を示す情報と紐付けられている。これによって、検査者は、コード部１５７２を使用して、主制御基板５０の納入先を示す情報を容易に確認することができる。このため、検査者は、納入先の情報を確認し、納入先の異なる主制御基板５０が装着される不正が行われたか否かを容易に判断できる。よって、遊技者が安心して遊技できる。故に、遊技者の興趣が向上する。
また、メインＲＯＭ５０２にシール部１５６２が貼り付けられ、シール部１５６２に所定の情報が表示されている。このため、検査者は、シール部１５６２を確認することで、メインＲＯＭ５０２が入れ替えられる不正を容易に確認することができる。よって、不正が行われる可能性を低減でき、遊技者が安心して遊技できる。故に、遊技者の興趣が向上する。
また、シール部１５６１に、機種名、メーカー名のうちの少なくとも１つが印刷されているので、検査者は、容易に、機種名、メーカー名のうちの少なくとも１つを把握することができる。よって、検査者は、機種名、メーカー名のうちの少なくとも１つを確認し、不正が行われているか否かを容易に判断できる。故に、遊技者が安心して遊技できる。故に、遊技者の興趣が向上する。
【０１０９】
なお、メインＲＯＭ５０２の形状は限定されない。上記実施形態におけるメインＲＯＭ５０２は、図９に示すように、上下左右に延びる板状の本体部５８０を有している。しかし、本体部５８０が、前後左右に延びてもよい。この場合、第１信号ピンは、前方に延び、主制御基板５０と電気的に接続されてもよい。また、本体部５８０が前後左右に延びる場合、シール部１５９１に表示された所定の情報は、本体部５８０の上面又は下面に表示されてもよい。
また、シール部１５６０、１５６１に表示される各種の情報は、メインＲＯＭ５０２の装着箇所が視認できる角度を有するように表示されればよい。
主基板ケース２００の、特に上ケース片２２０は、通気孔を有していない。
主基板ケース２００は、下ケース片２１０、上ケース片２２０に、デートマークを形成されている。
デートマークは、プラスチック成形品であるケースの製造時（成形時）に付加されるロット管理用のマークである。
本実施形態の特徴として、メインＲＯＭの近傍には、ＲＯＭの識別シール（ＲＯＭシール／シール部１５６２）が視認不可能になるような高さの部品を設けないようにする。
【０１１０】
図２３（ａ）乃至（ｄ）は封止基礎部に対して切断部材、開封禁止シール、キャップを組み付ける手順を上ケース片の突出片を中心として示す模式図であり、図２３（ｅ）は突出片の端面図であり、図２４は封止基礎部３１０に対して切断部材、開封禁止シール、キャップを組み付ける直前の状態を示す分解斜視図であり、図２５は封止基礎部に開封禁止シールを接着した状態を示す斜視図であり、図２６は開封禁止シールに対してキャップを装着した状態を示す斜視図であり、図２７はキャップを離脱させて開封禁止シールを破断した状態を示す斜視図であり、図２８（ａ）及び（ｂ）は開封禁止シールの一例の表面図、及び一部拡大図である。
図２３乃至内示図２７に示す切断部材２３０は、図１０に示したものと異なる一部異なる構成をしているが、キャップが取り外されるときに開封禁止シールを破断する点においては同じであり、同様に適用される。
【０１１１】
＜開封禁止シール＞
上記の如き構成を備えた主基板ケース２００を封印する手段として、図２８（ａ）に示した開封禁止シール２５０が使用される。開封禁止シール２５０は、比較的容易に切断、破断が可能な紙材料から構成されており、表面にはセキュリティ用（偽造防止用）の印刷等がなされ、裏面には接着剤層が形成されている。
表面の上下の各辺に沿って夫々配置された帯状の部位２５１は、ランダムマイクロ文字を含んだ微細な構成要素から構成された真贋識別用（偽造防止用）の識別領域（微細模様領域）２５１である。識別領域２５１以外のセキュリティ用の手段として、ホログラム２５２や、ＱＲコード（登録商標）２５３等が設けられている。
ランダムマイクロ文字は、ごく微小な文字を線部や図柄の一部などに入れ込む技術である。マイクロ文字は解像度の低い複写機では複製できないため、複製物の真偽を確認する手段の一つとなる。
【０１１２】
図２８（ｂ）は開封禁止シール２５０に設けられた識別領域（微細模様領域）の一部を１０倍に拡大した図であり、微細な丸、或いは点等から成る模様中に「開封禁止」「セキュリティ」等の隠し文字が記載されている。
この開封禁止シール２５０を、主基板ケースを構成する２つのケース片にまたがって接着しておくことにより、不正に開放がなされた場合には識別領域２５１が必ず破断される。不正行為者がＲＯＭを入れ替えた後でケース体とカバー体を再び閉じて開封禁止シール２５０の破断部同志をつなぎ合わせて外観上元の通りに修復したとしても、識別領域（その他の部位）を拡大鏡で判別することにより破断部、修復部の存在を確実に確認することが可能となる。
【０１１３】
ランダムマイクロ文字等の微細な文字等は肉眼では判別（判読、認識、識別）できないため、ルーペなどの拡大鏡を用いて５〜１０倍に拡大することによって始めて判別が可能となる。例えば、個々の文字等が１／１０〜１／５ｍｍの微小サイズである場合には肉眼での判別、判読は困難であるが、１０倍、或いは５倍に拡大することにより通常の視力を有した人によって判別、判読可能な１ｍｍ程度のサイズに拡大することが可能となる。
なお、本発明の開封禁止シール２５０の識別領域２５１は、ランダムマイクロ文字に限るものではなく、少なくともその一部に通常の視力を有した観察者の肉眼による判別（判読、認識、識別）が困難な程度に微小な（微細な）文字、図形、記号、又は／及び、模様を含むものであれば良い。この微小な文字等は拡大することによって上記観察者による判別、判読、真贋判断が可能となる。
なお、「肉眼による判別が困難な」とは、肉眼による判別が不可能ではないが判別が難しい場合と、肉眼による判別が不可能な場合も広く含む。
なお、開封禁止シール上における識別領域２５１の配置の仕方、その形状等は種々変更可能であることは言うまでもない。
【０１１４】
＜主基板ケースの要部構造＞
次に、開封禁止シールを接着する部位を中心とした主基板ケースの要部構造について説明する。
即ち、主基板ケース２００が図６、図７のような閉止状態にある時に、下ケース片２１０と上ケース片２２０の端縁間（封止基礎部３１０＝開封禁止シール接着部）に跨るように開封禁止シール２５０を接着することにより、開封禁止シール２５０を破損せずには両ケース片を開放できないように構成されている。即ち、下ケース片２１０と上ケース片２２０の長手方向一端縁には夫々封止部２１２、２２２が設けられており、両封止部２１２、２２２は、封止基礎部３１０を構成している。即ち、両封止部２１２、２２２は、下ケース片２１０と上ケース片２２０の長手方向一端縁のほぼ同一位置に設けられることにより、両ケース片を閉止した時に両封止部２１２、２２２が整合状態となって封止基礎部（開封禁止シール接着部）を形成する。
【０１１５】
本実施形態では、開封禁止シール接着部（シール接着部）Ａを両封止部２１２、２２２から構成し、切断部材２３０は両突出片の間に挟まれた状態で支持されているが、何れか一方の突出片の外側面に切断部材２３０を支持（仮係止）する構成としてもよいし、開封禁止シール接着部Ａを一方の突出片のみから構成し、この一つの突出片の一面によって切断部材を支持してもよい。
つまり、切断部材２３０は、開封禁止シール接着部において少なくとも何れか一方のケース片（突出片）によって保持される構成であればよい。
略板状の切断部材２３０は、閉止状態にある２つの下ケース片２１０、上ケース片２２０の封止部２１２、２２２（端縁間）によって挟まれて配置される。
開封禁止シール接着部Ａの先端面（両封止部２１２、２２２の各先端面）は第１接着面Ａ１を構成し、第１接着面Ａ１と直交する封止部２１２、２２２の各外面は第２接着面Ａ２を構成する（図２３、図２４）。
第１接着面Ａ１と第２接着面Ａ２の内側には切断部材２３０を収容する収容空間Ｓが設けられている（図２４）。
【０１１６】
また、第１接着面Ａ１には収容空間Ｓと連通する第１開口部Ｏ１が形成され、第２接着面Ａ２には収容空間Ｓと連通する第２開口部Ｏ２（ガイドスリット２２４）が形成されている。本実施形態では上ケース片２２０に二箇所の第２開口部Ｏ２が形成され、下ケース片２１０に一箇所の第２開口部Ｏ２が形成されている。
開封禁止シール２５０は、第１開口部Ｏ１の全部または一部を覆って第１接着面Ａ１に接着される第１シール接着部２５０Ａと、第２開口部Ｏ２の一部を覆って第２接着面Ａ２に接着される第２シール接着部２５０Ｂと、を有する（図２８）。
【０１１７】
キャップ２４０は、封止基礎部３１０の外面に開封禁止シール２５０を接着した状態で開封禁止シールを包囲（隠蔽）するように封止基礎部の外面に対して着脱自在に装着される。キャップ２４０は、開封禁止シール２５０を含む両突出片（封止基礎部３１０）の外面を包囲するキャップ本体２４１と、封止基礎部３１０に装着された時に封止部２１２、２２２間に挟まれた状態にある切断部材２３０（被係止部２３６）と弾性的に係合する係止部２４２（図９）を備え、キャップを封止基礎部から離脱させる際に切断部材を一体的に離脱させることにより、開封禁止シールを破断しつつ離脱させる。
キャップ２４０の一側面には管状のカシメ部材２０３Ａ（第３ネジ止片９３）が設けられており、図６、図１２のように両封止部２１２、２２２、及び開封禁止シールを覆うようにキャップを装着した時にカシメ部材２０３Ａの中心穴は上下ケース片の対応する位置に設けたカシメ部材２０３Ｂ（（第１ネジ止片９１、第２ネジ片９２）の穴と連通した状態となる。この状態でカシメピン９４（図９）を差し込んでカシメることにより上下ケース片に対してキャップを固定する。
なお、図示した実施形態では、キャップ２４０が開封禁止シールを含む封止部２１２、２２２全体を包囲している例を示したが、キャップは開封禁止シールの少なくとも一部を包囲するように封止基礎部（開封禁止シール接着部＝キャップ装着部）３１０の少なくとも一部に装着される構成であればよい。
【０１１８】
切断部材２３０は、キャップ２４０を封止基礎部３１０から離脱させる方向（ロ）（図１０）の先端縁に設けた刃部（第１の破断片）２３１と、離脱させる方向（ロ）と交差（直交）する方向へ突出する破断片（第２の破断片）２３３と、を備えている。破断片２３３は、下ケース片の封止部２１２側の面に一個設けられ、上ケース片の突出片２２２側の面に２個設けられている。
下ケース片の封止部２１２には一つの破断片２３３を受け容れるための一つの第２開口部Ｏ２（ガイドスリット２２４）が形成され、上ケース側の突出片２２２には２つの破断片２３３を夫々受け容れるための２つの第２開口部Ｏ２（ガイドスリット２２４）が形成されている。
切断部材２３０を各ケース片と別部材とすることにより、その刃部２３１等の切断手段の形状を独自に、且つ任意に成形、加工することが可能となり、開封禁止シールを著しく破断させる構成が可能となる。
【０１１９】
＜各部材の組み付け手順、及び開封禁止シール破断手順＞
次に、図２５により封止基礎部３１０に対して切断部材２３０、開封禁止シール２５０、キャップ２４０を組み付ける手順を上ケース片の突出片２２２を中心として説明する。
切断部材２３０は、本実施形態では上ケース片の突出片２２２の内側面に対して仮係止されるように構成されている。突出片２２２の内側面（切断部材支持部）には係止部（仮係止部）２２３が一対突設されており、これらの係止部２２３が図２５（ａ）の矢印方向へ装着される切断部材２３０の後端縁に設けた２つの凹所（仮係止部）２３２の内側縁部に係合してこれを押さえるように構成されている。また、切断部材の表面側には破断片２３３が突設されており、切断部材を突出片２２２の内側面に矢印方向から装着する際にこの破断片２３３の通過を許容するガイドスリット２２４が突出片２２２に形成されている。従って、切断部材２３０を図２５（ａ）に示すように矢印方向へ移動させて突出片２２２の内側面に着座させる際には、切断部材の表面を突出片２２２の内側面に沿ってスライドさせつつ装着することができる。この際、破断片２３３がガイドスリット２２４内に嵌合しつつ移動するため、装着に際しての障害となることがない。
【０１２０】
本実施形態のように破断片２３３を切断部材２３０の両面に設けると共に両方の封止部２１２、２２２に夫々ガイドスリット２２４を設けることにより、キャップと共に切断部材が開封禁止シール接着部Ａから離脱する際に両封止部２１２、２２２の外面に接着されている開封禁止シールを同時に破断させることができる。
なお、本実施形態では上ケース片側の突出片２２２に切断部材支持部を設けた構成例を示したが、下ケース片側の封止部２１２の内側面に切断部支持部を設けることも可能である。
【０１２１】
更に、切断部材２３０は、長手方向（装着方向と直交する方向）両端縁に弾性変形可能な爪状の被係止部２３６を備えている。被係止部２３６は、切断部材２３０を両封止部２１２、２２２によりサンドイッチ状に挟んだ時に（図２５（ｂ）（ｃ）を参照）、両突出片間の隙間から外側に露出した状態にある。このため、キャップを封止基礎部に装着した際にキャップと切断部材との係合が可能となる。切断部材の先端縁も両突出片の隙間から露出した状態にあるため、キャップと共に切断部材が封止基礎部から離脱する際にスムーズな離脱と、開封禁止シールの破断が可能となる。
このようにして突出片２２２に対して切断部材２３０を装着した後で、上ケース片２２０に対して下ケース片２１０を装着し、両封止部２１２、２２２に跨って開封禁止シール２５０を接着する。
【０１２２】
次に、図２５（ｂ）は下ケース片２１０を省略した状態における封止基礎部に対する開封禁止シール接着状態を示しており、図２５（ｃ）、及び図２５はキャップ２４０を装着した状態を示している。
キャップ２４０は、キャップ本体２４１の内側に切断部材２３０の被係止部２３６と係合可能な突起状の係止部２４２を有し、図２５（ｃ）のようにキャップを封止基礎部に装着した時に各係止部２４２が各被係止部２３６の先端部と弾性的に係合して一時的に一体化する。
この状態において、図２５（ｄ）、図２７に示すようにキャップ２４０を封止基礎部から離脱させると、キャップと一体化された切断部材２３０も一体的に離脱するため、切断部材は両封止部２１２、２２２の隙間から抜き取られる。この際に、切断部材の刃部２３１と破断片２３３が開封禁止シールを破断させる。即ち、刃部２３１は、両封止部２１２、２２２間の隙間（第１開口部Ｏ１）から外部（外側）へ離脱自在に構成されている一方で、破断片２３３は突出片２２２に設けたガイドスリット２２４内から外部（外側）へ離脱可能に構成されているため、刃部２３１と破断片２３３の移動経路に位置する開封禁止シールの各部位を破断することができる。
各破断片（第２の破断片）２３３は、開封禁止シールにより覆われていない各第２開口部Ｏ２の一部から突出している。
【０１２３】
図２８に示した開封禁止シールの構成例では、開封禁止シール２５０を両突出片に接着した状態においてランダムマイクロ文字から成る識別領域２５１は切断部材２３０に設けた破断片（第２の破断片）２３３の移動経路にある。このため、キャップと共に切断部材を離脱させる際に識別領域２５１は破断片２３３によって破断（破壊）される。
識別領域２５１を切断部材の先端縁の刃部２３１と対応する位置に設けた場合には識別部は刃部２３１によって破断されることとなる（図２７）。
本実施形態においては、主基板ケースの封止基礎部３１０の外面に両ケース片の封止部２１２、２２２に跨るように開封禁止シール２５０を接着した状態において、封止基礎部の外面にキャップ２４０を被せるように装着しているが、この際に両封止部２１２、２２２間に保持された切断部材２３０とキャップ２４０とが係合して一体化している。従って、主基板ケースを開放する前の段階、即ちキャップ２４０を封止基礎部から離脱させる過程で切断部材２３０が開封禁止シール２５０を破断する動作が実施される。
【０１２４】
切断部材２３０はその先端（離脱方向先端）にギザギザ状の刃部２３１を有しているため、切断部材２３０が両封止部２１２、２２２の突き合わせ位置から外部に突出したときに、開封禁止シールの第１シール接着部２５０Ａが破断するように構成されている。このため、主基板ケースが不正に開放されたことを知ることができる。
更に、切断部材２３０は、キャップ２４０を封止基礎部３１０から離脱させる方向と交差する方向（上ケース片側）へ突出する破断片２３３を備え、切断部材２３０を突出片２２２に装着した際に破断片２３３は上ケース片２２０の突出片２２２に設けたガイドスリット２２４から突出片２２２の表面上に突出した状態となる。この状態で突出片２２２の表面に開封禁止シールを接着すると、破断片２３３が開封禁止シール２５０と常時接触し、干渉した状態となる。このため、キャップ２４０を封止基礎部から離脱させることにより切断部材が離脱方向へ移動する際に、破断片がガイドスリット２２４に沿って移動することにより開封禁止シールを直線状に破断することができる。この破断片２３３によって破断される開封禁止シール部位（第２シール接着部２５０Ｂ）は、突出片２２２の表面に相当する部位であるため、遊技機の背面側から直視することができ、不正行為が行われた形跡をこの破断部から容易に発見することができる。
主基板ケースを図７のように台座に対して回動させて開放した場合にはキャップ２４０の反対側を視認することが可能となる。
【０１２５】
本実施形態では、開封禁止シール２５０が両封止部２１２、２２２に跨って接着される場合を想定して、切断部材２３０に、識別領域２５１を復旧不能に切断するための刃部２３１と、外観上の破断の形跡を確実に残すための破断片２３３を夫々設けたが、これは一例に過ぎず、先端の刃部２３１のみ、或いは他面の破断片２３３のみを設けても良い。特に、開封禁止シール２５０を両封止部２１２、２２２に跨って接着せず、一方の突出片、例えば上ケース側の突出片２２２の外面のみに接着した場合には、切断部材２３０には破断片２３３を設ければ足りる。つまり、本発明によれば、開封禁止シールを両突出片に跨って接着する場合と、一方の突出片のみに接着する場合の双方に対応することが可能となる。
【０１２６】
なお、図２７に示す例では、主基板ケース２００の開封時に、開封禁止シール（開封禁止シール）２５０は、ＱＲコード（登録商標）２５３が読み取り不能状態で破断されている。
しかしながら、ＱＲコード（登録商標）２５３が読み取り可能な状態で開封禁止シール２５０が破断されるように、刃部２３１を構成することが望ましい。
【０１２７】
＜払出制御基板保護ケース＞
次に、本実施形態の遊技機における払出制御基板保護ケースの構成について説明する。
図２９は、本実施形態における払出制御基の部品レイアウトを示す図である。
図２９に示すように、払出制御基板６０は、払出ＣＰＵ、払出ＲＯＭ、払出ＲＡＭを一体化（統合）したワンチップマイコン（ＩＣチップ）６０１と、コンデンサやＩＣ等その他の電子部品６０５と、エラー情報を表示するためのセグ液晶６１０と、を備えている。
詳細な説明は省略するが、払出制御基板６０のプリント配線基板７０１では、主制御基板５０と同様に、電子部品を実装する実装方式として、プリント配線基板の部品面にのみ各種電子部品やコネクタを実装する片面実装方式が採用されている。
【０１２８】
図３０は、払出制御基板保護ケースの構成について説明する図であり、（ａ）は、斜視図、（ｂ）は側面図、（ｃ）は正面図である。
図３１、図３２は、払出制御基板ケースの分解斜視図である。
払出制御基板保護ケース（以下、払出基板ケース４００）は、上ケース片４１０、下ケース片４２０から構成されている。
上記の主基板ケース２００の場合と同様に、上ケース片４１０、下ケース片４２０は、それぞれ、払出制御基板６０を収納する制御基板収納部４１１、４２１を備えている。
また、制御基板収納部４１１、４２１は、それぞれ、略長方形状に形成された板部と、これら板部の周囲縁部から突設され、各板部の一方側の面を囲うフランジ部とを有する形状に形成されている。
【０１２９】
上ケース片４１０の制御基板収納部４１１を構成するフランジ部のうち、上ケース片４１０の長尺な２辺に沿って突設されている部分には、Ｌ字状に形成された引掛片４１２がそれぞれ５つずつ形成されている。
一方、下ケース片４２０の制御基板収納部４２１を構成するフランジ部のうち、下ケース片の長尺な２辺に沿って突設されている部分は、二重壁状に形成されており、二重壁を形成する壁と壁との間に、上ケース片４１０の引掛片４１２を挿入可能な挿入溝部４２２が設けられている。また、各挿入溝部４２２には、引掛片４２３が形成されている。
【０１３０】
上ケース片４１０と、下ケース片４２０とが組み合わせられる場合、上ケース片４１０の引掛片４１２が、下ケース片４２０の挿入溝部４２２に挿入される。
そして、下ケース片４２０に対して左右方向に沿った図３１中の矢印αの方向に、上ケース片４１０をスライドさせる。すると、引掛片４１２が引掛片４２３に係合するので、下ケース片２１０と上ケース片２２０とは、矢印αとは逆方向に互いに移動しない限り、外れないように組み合わされる。
このように組み合わされると、上ケース片４１０と、下ケース片４２０は、制御基板収納部４１１、４２１によって外部から遮蔽された箱形の内包部を形成し、内包部には、払出制御基板６０が収納された状態となる。このため、払出制御基板６０及び払出ＲＯＭ６０１等が不正に交換等される可能性を抑制できる。
また、上ケース片４１０の下部には内部の払出制御基板６０に設けた内部コネクタと外部コネクタとの接続部を覆う保護カバーが配置されている。
【０１３１】
本実施形態では、下ケース片４２０と、上ケース４１０は、間に払出制御基板６０を挟んだ状態で、カシメ部材により固定される。
払出基板ケース４００の端縁に沿った適所には、カシメ部材を用いたカシメ締結部４５０が配置され、カシメ締結部４５０に対してカシメ部材を打ち込むことにより下ケース片４２０、上ケース片４１０は閉止状態でロックされる。締結穴４５１に打ち込まれたカシメ部材を除去（破断）することによって下ケース片４２０、上ケース片４１０は開閉、着脱可能な状態となる。
本実施形態の払出基板ケース４００において、カシメ締結部は２つ設けられている（カシメ締結部４５０Ａ、４５０Ｂ）。
【０１３２】
上ケース片４１０の端縁に沿った適所には上側締結片４５５が設けられ、上側締結片４５５には貫通締結穴４５６が設けられている。
下ケース片４２０の内面における上側締結片４５５との対応箇所には、下側締結片４５５が突設されている。下側締結片４５５には、締結穴４５７が形成されている。
下ケース片４２０と上ケース片４１０とを、引掛片４１２、              ４２３、挿入溝部４２２を用いて係合させると、上側締結片４５５の貫通締結穴４５６と、下側締結片の締結穴４５７とが連通する。この連通した締結穴（カシメ締結穴）に対してカシメ部材を打ち込むことにより、下ケース片４２０と上ケース片４１０との係合を解除することが出来なくなる。
従って、払出基板ケース内部に収容された払出制御基板６０にアクセスすることは不可能である。
なお、下ケース片４２０と上ケース片４１０の１回の締結に用いるカシメ締結部は１つのみである。カシメ部材を取り除いて締結を加除した後（払出基板ケース４００を開封した後）、再び締結を行う場合には残されたもう一つのカシメ締結穴にカシメ部材を打ち込んで締結を行う。すなわち、本実施形態の払出基板ケースは、２回まで開封することが出来る。
上ケース片４１０の前面における下方左側、下方中央には、上記主基板ケース２００と同様の位置表示部が設けられている。
そして、下方左側の位置表示部にはエラー表示の内容を示すシール部（エラー表示シール）１５６５が貼り付けられ、下方中央の位置表示部には、払出基板ケースの開封者、開封日時を記入するためのシール部（開封者表示シール）１５６６が貼り付けられている。
【０１３３】
図３１に示すように、位置表示部及びシール部１５６５、１５６６は、上ケース片４１０の外面側に形成、貼付されているが、これらは上ケース片４１０の内面側に形成、貼付されていてもよい。
これは、主基板ケース２００のシール部５４２、１５６０、１５６１と同様である。
位置表示部も、主基板ケース２００について図１２乃至図１４で説明したように、上ケース片４１０の外面側に設けてもよいし、内面側に設けてもよい。
【０１３４】
なお、本実施形態において、シール部を貼り付ける位置を示す貼付位置マークである位置表示部５４１は、以下のような形態を取り得る。
すなわち、位置表示部５４１は、シール部１５６５、１５６６を貼り付けする上ケース面と同一面あるいは裏面におけるシール部１５６５、１５６６の全周を囲むマーク、シール部１５６５、１５６６を貼り付けする上ケース面と同一面あるいは裏面におけるＬ字側のマークである。
位置表示部５４１は、シール部１５６５、１５６６の周囲を囲むように設けられた線状の凸部である。
位置表示部５４１は、シール部１５６５、１５６６と同一面において、シール部１５６５、１５６６の周囲を囲むように設けられた線状の凹部である。
位置表示部５４１は、シール部１５６５、１５６６の裏面においてシール部１５６５、１５６６の周囲を囲むように設けられた線状の凸部である。
位置表示部５４１は、シール部１５６５、１５６６の裏面において、シール部１５６５、１５６６の周囲を囲むように設けられた線状の凹部である。
【０１３５】
位置表示部５４１は、シール部１５６５、１５６６と同一面において、シール部１５６５、１５６６の所定の角部を囲むように設けられたＬ字型で線状の凸である。
位置表示部５４１は、シール部１５６５、１５６６と同一面において、シール部１５６５、１５６６の所定の角部を囲むように設けられたＬ字型で線状の凹部である。
位置表示部５４１は、シール部１５６５、１５６６の裏面において、所定の角部を囲むように設けられたＬ字型で線状の凸部、凹部である。
位置表示部５４１は、シール部１５６５、１５６６を囲むように設けられた凸部でも凹部でもない位置マークである。
【０１３６】
図３０乃至図３２において、位置表示部５４１は、シールと同一面（上ケース片の前面側）に設けられたＬ字型で線状の凸部であるが、それに限らず上記の何れかの態様を取り得る。
シール部１５６５は、払出基板ケース４００内に収容される払出制御基板６０が備えるエラー表示セグ液晶６１０の近傍に貼付され、エラー表示セグ液晶６１０に表示されるエラー表示の内容を示す
シール部１５６６は、透明素材からなり、例えは、白色で印字された枠内に、白色でエラー表示の番号と、それが指し示すエラーの内容が印字されている。
枠、番号、エラー内容の表示以外は、透明素材が露出しており、透明素材を通して、払出制御基板６０上の電子部品を確認することが出来る。
シール部１５６５は、払出制御基板６０上の払出ＲＯＭ６０１に貼付されたシール部１５６２を、あらゆる角度から透明素材を介して視認可能な位置に貼り付けされる。
【０１３７】
図３０（ｃ）に示すように、シール部１５６５（エラー表示説明シール）には、主制御基板及び各種センサによって検知されるエラーに対応して、例えば、以下の内容が記載される。
すなわち、
０  払い出し個数異常エラー
１  主制御未接続エラー
２  払出スイッチ異常検知エラー１
３  払出スイッチ異常検知エラー２
４  払出ケースエラー
５  主制御ケースエラー
６  満タンエラー
７  球切れエラー
８  遊技球等貸出装置未接続セラー
９  遊技球等貸出装置通信エラー
である。
【０１３８】
また、「皿満タンエラー」、「カウンターケースエラー」、「計数スイッチエラー」、「払い出し超過エラー」、「遊技球等貸出装置未接続エラー」、「遊技球等貸出装置通信エラー」、「扉開放エラー」、「異常入賞エラー１」、「異常入賞エラー２」、「排出エラー」、「磁石検知エラー」、「賞頻度異常エラー」、「異常扉開放エラー」の中から何れか一つのエラー表示をエラー表示セグ液晶６１０にて行い、対応するエラー表示の内容をシール部１５６５（エラー表示説明シール）に表示してもよい。
「皿満タンエラー」は、賞球の払い出しによって受け皿が満杯になるか、球貸しによって受け皿が満杯になったときに発生するエラーである。
「カウンターケースエラー」は、タンクから払い出し機構部の間の球詰まりで発生するエラーである。
「計数スイッチエラー」は、払出制御基板と払出装置中継端子板をつなぐ配線または、払出装置中継端子板と払出機構部内の部品をつなぐ配線の接続が正しく行われていないことで発生するエラーである。
【０１３９】
「払い出し超過エラー」、要求数以上の払い出しを行ったことで発生するエラーである。
「払い出しコマンドエラー」は、主制御基板から払出制御基板へ送られる信号が正常でなかったときに発生するエラーである。
「遊技球等貸出装置未接続エラー」は、遊技球等貸出装置が遊技機に接続されていないために発生するエラーである。
「遊技球等貸出装置通信エラー」は、払出制御基板が遊技球等貸出装置からの信号を不正であると検出したことで発生するエラーである。
「扉開放エラー」は、上部飾りが開放されたために発生するエラーである。
「スイッチ未接続エラー」は、ゲート及び入賞口等の遊技盤上のスイッチの断線及び接続不良を検出したときに発生するエラーである。
【０１４０】
「異常入賞エラー１」は、普通電動役物の作動終了から次回の作動開始までの間に右始動口への５個以上の入賞を検出するかまたは電源投入後普通電動役物作動開始までの間に１個以上の入賞を検出したため、右上特別電動役物の未作動時に右上大入賞口への入賞を検出したため、右下特別電動役物の未作動時に右下大入賞口への入賞を検出したことで発生するエラーである。
「異常入賞エラー２」は、各入賞口内のスイッチに著しく長い時間遊技球を検出したために発生するエラーである。
「排出エラー」は、各入賞口内のスイッチを通過した遊技球数とアウトスイッチを通過した遊技球数の誤差が４９を超えたことで発生するエラーである。
「磁石検知エラー」は、左風車付近、左上入賞口付近、左中入賞口付近、左下入賞口付近、中始動口付近または遊技盤面右下部に磁力を検出したことが発生するエラーである。
「入賞頻度異常エラー」は、一定の発射球数に達した時に中始動口、左下入賞口、左中入賞口、左上入賞口、または右入賞口のいずれかに異常入賞数を検出したことで発生するエラーである。
「異常扉開放エラー」は、上部飾り閉鎖時に内枠が開放されることで発生するエラーである。
【０１４１】
図３０（ｃ）に示すように、シール部１５６６（開封者表示シール／払出基板管理シール）には、払出基板ケース４００を開封した開封者及び開封年月日を記載するための記載領域１５６７を備える。
シール部１５６６は、透明素材からなる。例えば、黒色で「払出制御基板」などと見出しが付された枠内に、３つの記載領域１５６７が形成されている。
記載領域１５６７は、透明素材上に形成されたペン等で書き込み可能な白色の下地である。
記載領域１５６７の上方には、「開封者」「開封年月日」といった見出しが黒色で印字され、各記載領域の左側には、記載領域の番号を示す丸付きの数字が印字されている。
各印字、及び記載領域１５６７（白色の下地）以外は、透明素材が露出しており、透明素材を通して、払出制御基板６０上の電子部品を確認することが出来る。
シール部１５６６は、払出制御基板６０上の払出ＲＯＭ６０１に貼付されたシール部１５６２を、あらゆる角度から透明素材を介して視認可能な位置に貼り付けされる。
シール部１５６６は、３つの記載領域１５６７が、あらゆる角度から払出ＲＯＭ６０１と重ならない位置となるように設けられている。
【０１４２】
なお、図３０（ｃ）に示すシール部１５６６において、記載領域１５６７は「開封者」「開封年月日」を記載する欄が一体化している。それに対し、図１７や図２１に示した主基板ケース２００のシール部１５６０と同様に、開封者と開封年月日を記載する欄を分離し、それらの間に透明素材による覗き部を設けるようにしてもよい。そのようにすることで、シール部１５６６を通した払出制御基板６０上の電子部品の確認がより一層容易となる。
【０１４３】
上記したように、主基板ケース２００と同様に、本実施形態の払出基板ケース４００はカシメ部を有する。
払出基板ケース４００が備えるカシメ部は２つである。それに対しシール部１５６６に設けられる記載領域１５６７は３つである。
払出基板ケース４００においては、カシメ部の数が、シール部１５６６における開封者等の書き込み可能回数（記載領域１５６７の数）と一致しない。
払出基板ケース４００にが備えるカシメ部の数は、払出基板管理シール（シール部１５６６）に設けられた開封者及び開封年月日の記入欄の数以下である。
実際に可能な開封回数よりも多くの記入欄を設けておくことで、誤記やその他の誤りに対応可能であり、カシメ部の数と、記入欄を同数に場合と比べて柔軟な対応が可能である。
【０１４４】
払出基板ケース４００の特に上ケース片４１０は通気孔を有していない。
払出ＲＯＭ（払出チップ）６０１には、シール部１５６２が貼付されている。
上記したように、シール部１５６２は、特定の情報を表示するための情報識別部である。例えば、特定の情報としてとして、機種名、メーカー名のうちの少なくとも１つが印刷される。本実施形態では、一例として、シール部１５６２には、所定の情報として、機種名「ＣＲあいうＧＨ１０１」、及びメーカー名「ＡＡ社」が印刷されている。また、シール部１５６２に表示される特定の情報を識別表示１５９６という。本実施形態では、識別表示１５９５は、機種名「ＣＲあいうＧＨ１０１」、及びメーカー名「ＡＡ社」である。
払出ＲＯＭ６０１に貼り付けされるシール部１５６２は、主制御基板５０のメインＲＯＭに貼り付けされる同内容のシール部１５６２と同じ色であってもよいし、異なる色であってもよい。
【０１４５】
払出基板ケース４００と、主基板ケース２００とでは、シール部１５６０、１５６６における開封者等の情報の書き込み可能回数が異なる。あるいは、シール部１５６０、１５６６における書き込み可能な領域の大きさが異なる。
図３０の説明において、シール部１５６５とシール部１５６６は、異なるシール部となっているが、それに限らず、シール部１５６５とシール部１５６６を一体化してもよい。
すなわち、シール部１５６５とシール部１５６６の記載内容を含む一つのシールを貼り付けてもよい。
【０１４６】
＜演出制御基板保護ケース＞
次に、本実施形態における演出制御基板保護ケースの構成について説明する。
まず、図３３、図３４を用いて、画像制御基板の基板構造について説明する。
図３３は、画像制御基板の構造を説明するための図であり、図３３（ａ）は、画像制御基板の部品面（表面）の構成を示した図、図３３（ｂ）は、画像制御基板の半田面（裏面）の構成を示した図である。
また図３４は、画像制御基板に用いられるプリント基板の構成を示した図であり、図３４（ａ）は、プリント基板の部品面（表面）の構成を示した図、図３４（ｂ）は、プリント基板の半田面（裏面）の構成を示した図である。
【０１４７】
図３３、図３４に示すように、画像制御基板７０にはＶＤＰを含む多数の電子部品が搭載されている。
画像制御基板７０では、プリント基板の両面に配線パターンが形成されたプリント配線基板８０１が用いられている。
なお、本実施形態では、画像制御基板７０では、プリント配線基板８０１を用いる例に挙げて説明したが、これはあくまでも一例であり、画像制御基板７０においては、プリント基板の両面および内層面に配線パターンが形成された多層プリント配線基板を用いるようにしても良い。
プリント配線基板８０１に電子部品を実装する際の実装方式としては、プリント配線基板８０１の両面（部品面８０１ａおよび半田面８０１ｂ）に形成した接続電極（ランド）８０２に表面実装型の各種電子部品やコネクタ等を実装する表面実装方式が採用されている。つまり、画像制御基板７０は、表面実装方式のプリント配線基板８０１を用いて構成するようにしている。
【０１４８】
上述したように本実施形態の遊技機１は、主制御基板５０が挿入実装型電子部品（以下、「挿入実装部品」という）のリードを挿入可能なスルーホールを備えたプリント配線基板７０１により構成され、主制御基板５０以外の基板が表面実装型電子部品（以下、「表面実装部品」という）の接続端子と接続可能な接続電極を有するプリント配線基板８０１により構成されている。
【０１４９】
図３５は、画像制御基板に用いられるプリント配線基板の一部を拡大して示した図である。
図３５に示すように、プリント配線基板８０１には、一の表面実装部品の接続端子とそれぞれ接続されるランド８０２によりランド群８１１、８１２が構成されている。
例えば表面実装部品が図２６（ａ）に示すＩＣ８５０であれば、プリント配線基板８０１には、ＩＣ８５０の複数本のリード端子とそれぞれ接続される複数のランド８０２によりＩＣ８５０用のランド群８１１が構成される。なお、本明細書では一の表面実装部品の複数本のリード端子とそれぞれ接続される複数のランド８０２をランド群と呼ぶ。
同様に、表面実装部品が図２６（ａ）に示すコネクタ８５１であれば、プリント配線基板８０１には、コネクタ８５１の複数本のリード端子とそれぞれ接続される複数のランド８０２によりコネクタ８５１用のランド群８１２が構成される。
そして、これらランド群８１１、８１２を構成する複数のランド８０２は、第１のランド８０２ａと、この第１のランド８０２ａとは形状が異なる第２のランド８０２ｂとからなる。
具体的には、ランド群８１１、８１２をそれぞれ構成する複数のランド８０２のうち、四隅のランド８０２ｂの形状を他のランド８０２ａよりも大きい形状（例えば１．５倍程度）にした。
【０１５０】
図３６は、演出制御基板保護ケースの構成について説明する正面図である。
図３７、図３８は、演出制御基板ケースの分解斜視図である。
図３６乃至図３８に示すように、演出制御基板ケース（演出基板ケース）７００内の画像制御基板７０には、ホストＣＰＵ、ＶＤＰや画像ＲＯＭを含む多数の電子部品が実装されている。
上記したように、画像制御基板７０のプリント配線基板では、電子部品を実装する実装方式として、プリント配線基板の部品面、半田面の両面に各種電子部品やコネクタを実装する両面実装方式が採用される。
【０１５１】
演出基板ケース７００は、下ケース片７１０と、上ケース片７２０と、を備える。
下ケース片７１０が備える制御基板収納部７１１と、上ケース片７２０が備える制御基板収納部７２１とによって構成される内包部に、演出制御基板、画像制御基板７０を収容する。
演出基板ケース７００、特に上ケース片７２０には、上記に説明した主基板ケース２００、払出基板ケース４００とは異なり、通気孔７２５が備わっている。
また、演出基板ケース７００の上ケース片７２０には、主基板ケース２００、払出基板ケース４００に貼り付けされていた開封者、開封年月日を記載するためのシール部１５６０、１５６６は貼り付けされていない。
従って、演出基板ケース７００には、主基板ケース２００や払出基板ケース４００に備えられていたような演出基板ケース７００を封止するためのカシメ部は設けられていない。
【０１５２】
その一方で、演出基板ケース７００の上ケース片７２０には、音量の設定に係る説明を記載した不透明のシール部１５８０が音量切替スイッチ３６の近傍に貼付される。
それに対応して、演出基板ケース７００の上ケース片７２０の後面には、位置表示部５４１が設けられる。
上記のように、画像制御基板７０は、両面実装基板であり、前側（遊技盤側）に実装されている電子部品を直接視認して検査をすることはできない。
また、画像制御基板７０は、単に演出画像や演出音を出力する機能を有するという性質上、主制御基板５０、払出制御基板６０とは異なり、ＲＯＭチップ等が不正に差し替えられたりすることのリスクが低い。
従って、基板面をシール越しに視認する必要が低いため、不透明のシール部１５８０を、演出基板ケース７００に対して貼付することができる。
また、同様の理由で、演出基板ケース７００を封止するためのカシメ部（封止部）も設けられていない。
結果的に、演出基板ケース７００を開封した開封者及び開封年月日を記載するための記載領域１５６７を備えたシール部１５６６も貼付されることはない。
【０１５３】
位置表示部５４１は、上ケース片７２０の前面側に設けられてもよい。
なお、本実施形態において、シール部１５８０を貼り付ける位置を示す貼付位置マークである位置表示部５４１は、以下のような形態を取り得る。
すなわち、位置表示部５４１は、シール部１５８０を貼り付けする上ケース面と同一面あるいは裏面におけるシール部１５８０の全周を囲むマーク、シール部１５８０を貼り付けする上ケース面と同一面あるいは裏面におけるＬ字側のマークである。
位置表示部５４１は、シール部１５８０の周囲を囲むように設けられた線状の凸部である。
位置表示部５４１は、シール部１５８０と同一面においてシール部１５８０の周囲を囲むように設けられた線状の凹部である。
位置表示部５４１は、シール部１５８０の裏面においてシール部１５８０の周囲を囲むように設けられた線状の凸部である。
位置表示部５４１は、シール部１５８０の裏面においてシール部１５８０の周囲を囲むように設けられた線状の凹部である。
【０１５４】
位置表示部５４１は、シール部１５８０と同一面においてシール部１５８０の所定の角部を囲むように設けられたＬ字型で線状の凸である。
位置表示部５４１は、シール部１５８０と同一面においてシール部１５８０の所定の角部を囲むように設けられたＬ字型で線状の凹部である。
位置表示部５４１は、シール部１５８０の裏面において所定の角部を囲むように設けられたＬ字型で線状の凸部、凹部である。
位置表示部５４１は、シール部１５８０を囲むように設けられた凸部でも凹部でもない位置マークである。
【０１５５】
主基板ケース２００の上ケース片２２０面に設けられたシール部１５６１及び主基板管理番号シールとしてのシール部１５６０と、開封禁止シール２５０のＱＲコード（登録商標）と、は主制御基板５０を延伸させた仮想面からの距離が異なる。仮想面（主制御基板５０）から開封禁止シール２５０のＱＲコード（登録商標）の距離の方が短い（近い）。
図２５等に示すように、開封禁止シール２５０のＱＲコード（登録商標）２５３は、主基板ケース２００の上ケース片２２０の上面よりも低い位置にあるからである。
【０１５６】
また、主制御基板５０には、役比モニタが載置されている。役比モニタは、打ち出し数に対する賞球数の割合を表示する装置であり、遊技機の設定に関する情報も表示可能である。
主基板ケース２００、払出基板ケース４００、演出基板ケース７００を含む遊技機の基板ケースには、情報表示として、ケース部のシール、ＲＯＭシール、リード抵抗のカラーコード、ネットワーク抵抗の識別コード、ＩＣの型番コード、コンデンサの型番コード、役比モニタの表示情報等がある。
これらの情報は、基板ケース（主基板ケース２００、払出基板ケース４００、演出基板ケース７００）に収納される各制御基板からの距離がそれぞれ異なる。また、基板ケースの天面からの距離も異なる。上記に説明してきたように、基板ケースの天面はシール部の貼り付け場所であり、また基板ケースにおける最も高い箇所である。
基板ケース部のシール部は、基板ケースの最も高いところに貼られ、ＲＯＭシールは、ケース内の基板に実装されたＲＯＭ上に貼られ、役比モニタの表示情報などは基板上に設けられた役比モニタに表示される。制御基板を基準にしてこれらの情報の高さが異なるのは当然である。
【０１５７】
また、本実施形態において、基板ケースに収納する制御基板（主制御基板５０、払出制御基板６０、画像制御基板７０）のＲＯＭ足が見えるように、シールによって、ＲＯＭ足が隠れることがないように、基板ケースの天面にシール部を貼り付ける。ＲＯＭ足は、基板ケースを上方からみたときに、一部であってもシール部によって隠れることはない。
本実施形態において、ＲＯＭを含む電子部品は、上方からみたときに隠れることはあっても、角度を変えてみると覗き部から見ることが出来る。
ＲＯＭ足に不正が行われていないことが一目でわかるように、制御基板（主制御基板５０、払出制御基板６０、画像制御基板７０）に対するＲＯＭの接続部として、透明コネクタを設置する。
基板ケースのケース片に設けられた識別情報は、制御基板（主制御基板５０、払出制御基板６０、画像制御基板７０）に対する距離が異なる表示を有する。例えば、上ケース片、下ケース片、（主基板ケースの場合）キャップに表示された識別情報は、制御基板（主制御基板５０、払出制御基板６０、画像制御基板７０）を基準とする距離が異なり、また、位置関係も前後に異なっている。また、制御基板（主制御基板５０、払出制御基板６０、画像制御基板７０）において、電子部品が設置されている領域の色は、メーカー名を表示した領域の色とは異なる。
【符号の説明】
【０１５８】
１…遊技機、２…外枠、４…ガラス枠、３…内枠、４ａ…窓、４ｂ…透明板、５…ヒンジ機構部、６…貯留皿、６ａ…上皿、６ｂ…下皿、７…皿ユニット、８…演出ボタン、８ａ…演出ボタン検出スイッチ、９…排出ボタン、１０…遊技盤、１０ａ…遊技領域、１１…操作ハンドル、１１ａ…タッチセンサ、１１ｂ…発射ボリューム、１２…センター部材、１２ａ…発射用ソレノイド、１３…始動口、１３ａ…始動口検出スイッチ、１４…始動口、１４ａ…始動口検出スイッチ、１４ｂ…開閉扉、１５…ゲート、１５ａ…ゲート検出スイッチ、１６…大入賞口、１６ａ…大入賞口検出スイッチ、１６ｂ…開閉扉、１７…大入賞口、１７ａ…大入賞口検出スイッチ、１７ｂ…可動片、１８…一般入賞口、１８ａ…一般入賞口検出スイッチ、１９…アウト口、２０…特別図柄表示装置、２１…特別図柄表示装置、２２…普通図柄表示装置、２３…特別図柄保留表示器、２４…特別図柄保留表示器、２５…普通図柄保留表示器、２６…ラウンド回数表示器、２７…遊技情報出力端子板、３１…画像表示装置、３２…演出用役物装置、３３…演出用照明装置、３４…音声出力装置、３５…演出図柄、３６…音量切替スイッチ、４０…十字キー、５０…主制御基板、５５…演出制御基板、６０…払出制御基板、６５…ランプ制御基板、７０…画像制御基板、７５…発射制御基板、８０…電源基板、８１…電源プラグ、９４…カシメピン、１３０…ベース枠体、１６０…画像表示ユニット、１６５…画像表示カバー、１６６…ランプ中継基板、１７０…蓋部材、２００…主基板ケース、２００Ａ…主基板ケース組立体、２１０…下ケース片、２１１…制御基板収納部、２１１ａ…板部、２１１ｂ…フランジ部、２１１ｃ…引掛片、２１２…封止部、２１２ａ…溝部、２２０…上ケース片、２２１…制御基板収納部、２２１ａ…板部、２２１ｂ…フランジ部、２２１ｃ…挿入溝部、２２１ｄ…引掛片、２２２…封止部、２２２ａ…溝部、２２３…係止部、２２４…ガイドスリット、２２９…保護カバー、２３０…切断部材、２３１…刃部、２３３…破断片、２３６…被係止部、２４０…キャップ、２４１…キャップ本体、２４２…係止部、２４９…フック部、２５０…開封禁止シール、２５０Ａ…シール接着部、２５０Ｂ…シール接着部、２５１…識別領域、２５２…ホログラム、２５３…ＱＲコード（登録商標）、２８０…台座、２８１…軸部、２８２…板状フック、２９０…カシメ締結部、２９１…締結穴、２９２…下ケース側締結穴、２９３…上ケース側締結穴、３００…封止体、３１０…封止基礎部、３１０ａ…挿抜空間、４００…払出基板ケース、４１０…上ケース片、４１１…制御基板収納部、４１２…引掛片、４２０…下ケース片、４２１…制御基板収納部、４２２…挿入溝部、４２３…引掛片、４５０…カシメ締結部、４５１…締結穴、４５５…下側締結片、４５５…上側締結片、４５６…貫通締結穴、４５７…締結穴、５０２…メインＲＯＭ、５２０…識別表示、５２１…識別表示、５２２…識別表示、５２３…識別表示、５２４…識別表示、５２５…識別表示、５２９…識別表示、５４１…位置表示部、５４２…シール部、５６１…位置表示部、５６５…円筒部、５６６…孔部、５６７…孔部、５８０…本体部、５８１…内包部、５８２…第１信号ピン、５８３…第２信号ピン、５９５…電子部品、６０１…払出ＲＯＭ、６１０…エラー表示セグ液晶、６０５…電子部品、７００…演出基板ケース、７１０…下ケース片、７１１…制御基板収納部、７２０…上ケース片、７２１…制御基板収納部、７２５…通気孔、７７９…開口部、７９７…印刷部、７９８…電子部品、１３９０…識別表示部、１３９１…外側部位、１５６０…シール部、１５６１…シール部、１５６２…シール部、１５６３…印刷部、１５６５…シール部、１５６６…シール部、１５６７…記載領域、１５７０…記載領域、１５７１…印刷部、１５７２…コード部、１５７３…情報表示部、１５７５…領域、１５８０…シール部、１５９１…シール部、１５９５…識別表示、１５９６…識別表示、１７５７…領域
【図１】
2020044057.tif 000003
【図２】
2020044057.tif 000004
【図３】
2020044057.tif 000005
【図４】
2020044057.tif 000006
【図５】
2020044057.tif 000007
【図６】
2020044057.tif 000008
【図７】
2020044057.tif 000009
【図８】
2020044057.tif 000010
【図９】
2020044057.tif 000011
【図１０】
2020044057.tif 000012
【図１１】
2020044057.tif 000013
【図１２】
2020044057.tif 000014
【図１３】
2020044057.tif 000015
【図１４】
2020044057.tif 000016
【図１５】
2020044057.tif 000017
【図１６】
2020044057.tif 000018
【図１７】
2020044057.tif 000019
【図１８】
2020044057.tif 000020
【図１９】
2020044057.tif 000021
【図２０】
2020044057.tif 000022
【図２１】
2020044057.tif 000023
【図２２】
2020044057.tif 000024
【図２３】
2020044057.tif 000025
【図２４】
2020044057.tif 000026
【図２５】
2020044057.tif 000027
【図２６】
2020044057.tif 000028
【図２７】
2020044057.tif 000029
【図２８】
2020044057.tif 000030
【図２９】
2020044057.tif 000031
【図３０】
2020044057.tif 000032
【図３１】
2020044057.tif 000033
【図３２】
2020044057.tif 000034
【図３３】
2020044057.tif 000035
【図３４】
2020044057.tif 000036
【図３５】
2020044057.tif 000037
【図３６】
2020044057.tif 000038
【図３７】
2020044057.tif 000039
【図３８】
2020044057.tif 000040
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
片方の基板面に電子部品を実装した片面実装基板と、
前記片面実装基板を収容する基板ケースと、
透かし加工を施した加工シールと、
を備え、
前記加工シールは、透光性が高い透光部と、透光性が低い非透光部と、を有し、
前記加工シールは、前記基板ケースに貼付され、
前記透光部及び前記基板ケースを介して、前記電子部品が視認可能である、
ことを特徴とする遊技機。
【手続補正２】
【補正対象書類名】明細書
【補正対象項目名】０００５
【補正方法】変更
【補正の内容】
【０００５】
本発明は、上記の課題を解決するためになされたものであり、片方の基板面に電子部品を実装した片面実装基板と、前記片面実装基板を収容する基板ケースと、透かし加工を施した加工シールと、を備え、前記加工シールは、透光性が高い透光部と、透光性が低い非透光部と、を有し、前記加工シールは、前記基板ケースに貼付され、前記透光部及び前記基板ケースを介して、前記電子部品が視認可能である、遊技機を特徴とする。